(57)【要約】      （修正有）【課題】画面上に表示された撮影画像を、他の撮影画像に容易に変更可能な写真作成ゲーム機を提供する。【解決手段】写真作成ゲーム機は、利用者を被写体として撮影を行い、画面上に形成した画像配置領域４２１に、撮影により得られた複数の撮影画像の中から選択した撮影画像を表示し、画像配置領域４２１を押下する操作が行われた場合、操作が行われた画像配置領域４２１に表示させた撮影画像を他の撮影画像に変更する。そして、利用者を被写体として撮影することによって取得された撮影画像に対して編集を施し、編集が施された撮影画像をシール紙に印刷する装置に適用することができる。【選択図】図２０
2017142495.tif 000002
【特許請求の範囲】
【請求項１】
利用者を被写体として撮影を行う撮影部と、
画面上に形成した配置領域に、前記撮影部による撮影により得られた複数の撮影画像の中から選択した前記撮影画像を表示し、前記配置領域を押下する操作が行われた場合、前記操作が行われた前記配置領域に表示させる前記撮影画像を他の前記撮影画像に変更する表示制御部と
を備える写真作成ゲーム機。
【請求項２】
前記表示制御部は、画像データとして前記利用者に提供される携帯送信用画像の作成画面に、前記配置領域が所定のレイアウトで形成された画像を表示させ、
前記配置領域に表示された前記撮影画像を配置した前記携帯送信用画像を作成する作成部をさらに備える
請求項１に記載の写真作成ゲーム機。
【請求項３】
前記表示制御部は、複数の前記作成画面を１つの表示部に同時に表示し、それぞれの前記作成画面の前記配置領域に表示させる前記撮影画像を、同じ順番で変更する
請求項２に記載の写真作成ゲーム機。
【請求項４】
前記表示制御部は、前記操作が行われた前記配置領域に表示させる前記撮影画像を、前記配置領域に表示していない他の前記撮影画像に変更する
請求項１乃至３のいずれかに記載の写真作成ゲーム機。
【請求項５】
前記表示制御部は、複数の前記配置領域のそれぞれに、複数の前記撮影画像の中から選択した互いに異なる前記撮影画像を表示させる
請求項１乃至４のいずれかに記載の写真作成ゲーム機。
【請求項６】
前記表示制御部は、複数の前記配置領域の少なくとも一部に、同じ前記撮影画像を重複して表示させる
請求項１乃至４のいずれかに記載の写真作成ゲーム機。
【請求項７】
前記撮影部は、撮影範囲が異なる複数の前記撮影画像を撮影し、
前記表示制御部は、前記操作が行われた前記配置領域に表示させる前記撮影画像を、撮影範囲が同一の他の前記撮影画像に変更する
請求項１乃至６のいずれかに記載の写真作成ゲーム機。
【請求項８】
前記撮影部は、前記利用者の上半身を撮影範囲とするアップ画像と、前記利用者の全身を撮影範囲とする全身画像とを含む前記撮影画像を撮影し、
前記表示制御部は、前記アップ画像のみ、または前記全身画像のみを、前記配置領域に表示させる
請求項７に記載の写真作成ゲーム機。
【請求項９】
前記表示制御部は、前記配置領域内の位置を押下する前記操作が行われた場合、前記配置領域に表示させる前記撮影画像を変更する
請求項１乃至８のいずれかに記載の写真作成ゲーム機。
【請求項１０】
前記表示制御部は、前記配置領域の近傍の位置を押下する前記操作が行われた場合、前記配置領域に表示させる前記撮影画像を変更する
請求項１乃至８のいずれかに記載の写真作成ゲーム機。
【請求項１１】
前記表示制御部は、前記配置領域の数と前記撮影画像の数に応じて、表示させる前記撮影画像の順番を変える
請求項１乃至１０のいずれかに記載の写真作成ゲーム機。
【請求項１２】
利用者を被写体として撮影を行い、
画面上に形成した配置領域に、撮影により得られた複数の撮影画像の中から選択した前記撮影画像を表示し、
前記配置領域を押下する操作が行われた場合、前記操作が行われた前記配置領域に表示させる前記撮影画像を他の前記撮影画像に変更する
ステップを含む表示制御方法。
【発明の詳細な説明】
【技術分野】
【０００１】
本技術は、写真作成ゲーム機および表示制御方法に関し、特に、画面上に表示された撮影画像を、他の撮影画像に容易に変更することができるようにした写真作成ゲーム機および表示制御方法に関する。
【背景技術】
【０００２】
従来、写真シール作成装置が知られている。写真シール作成装置は、利用者を撮影し、撮影画像に対して利用者に編集を行わせ、編集後の画像をシール紙に印刷して提供するものである。写真シール作成装置は遊戯施設などに設置される。
【０００３】
写真シール作成装置が提供する１ゲームの流れは、通常、撮影空間内にいる利用者を被写体として撮影を行った後、利用者を編集空間に移動させ、編集空間内で行われる操作に従って画像を編集して、編集済みの画像をシール紙に印刷するものとなる。
【０００４】
特許文献１には、複数回の撮影によって得られた撮影画像を合成して、１枚の大きなデザイン性の高い合成画像を作成することができるようにした写真シール作成装置が開示されている。
【０００５】
当該合成画像は、例えば、利用者の上半身が写るアップ画像と全身が写る全身画像が、利用者により選択されたシールレイアウト画像上の画像配置領域にそれぞれ配置されることによって作成される。画像配置領域以外の領域には、デザイン性に富んだ文字や図柄などが配置される。作成された合成画像はシール紙に印刷され、利用者に提供される。このような合成画像の作成は、１人用のコースを選択することにより行うことが可能とされる。
【先行技術文献】
【特許文献】
【０００６】
【特許文献１】特開２０１５−２１０３９７号公報
【発明の概要】
【発明が解決しようとする課題】
【０００７】
特許文献１に記載の装置においては、合成画像の編集時、シールレイアウト画像上の各画像配置領域に配置された撮影画像を、他の撮影画像に置き換えることが可能とされる。
利用者は、シールレイアウト画像上に配置された撮影画像を選択し、その撮影画像に代えて新たに配置する撮影画像を、シールレイアウト画像の脇に形成された画像選択領域に表示された複数の撮影画像の中から選択することによって、そのような置き換えを行うことができる。
【０００８】
１人用のコースであるために編集画面用のモニタを広く使うことができ、シールレイアウト画像とともに画像選択領域を並べて表示させることができるものの、仮に、同じような表示を用いて画像の置き換えを２人の利用者が同時に行うことができるようにした場合、それぞれの表示を小さくする必要がある。
【０００９】
通常、写真シール作成装置での編集作業は、編集画面用のモニタを左右に２等分し、左右の画面を用いて２人の利用者が同時に楽しめるようになっている。それぞれの表示を小さくした場合、合成画像を細部まで確認することが難しく、また、選択候補となる撮影画像を小さく表示しなければならず、操作性が悪くなるものと考えられる。
【００１０】
本技術はこのような状況に鑑みてなされたものであり、画面上に表示された撮影画像を、他の撮影画像に容易に変更することができるようにするものである。
【課題を解決するための手段】
【００１１】
本技術の一側面の写真作成ゲーム機は、利用者を被写体として撮影を行う撮影部と、画面上に形成した配置領域に、前記撮影部による撮影により得られた複数の撮影画像の中から選択した前記撮影画像を表示し、前記配置領域を押下する操作が行われた場合、前記操作が行われた前記配置領域に表示させる前記撮影画像を他の前記撮影画像に変更する表示制御部とを備える。
【００１２】
本技術の一側面においては、利用者を被写体とした撮影が行われ、画面上に形成した配置領域に、撮影により得られた複数の撮影画像の中から選択された前記撮影画像が表示される。また、前記配置領域を押下する操作が行われた場合、前記操作が行われた前記配置領域に表示させる前記撮影画像が他の前記撮影画像に変更される。
【発明の効果】
【００１３】
本技術によれば、利用者は、画面上に表示された撮影画像を、他の撮影画像に容易に変更することができる。
【図面の簡単な説明】
【００１４】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】事前接客部の構成例を示す図である。
【図５】撮影部の構成例を示す図である。
【図６】背景部の構成例を示す図である。
【図７】編集ユニットの正面の構成例を示す図である。
【図８】編集ユニットの側面の構成例を示す図である。
【図９】シール紙の例を示す図である。
【図１０】編集画像のレイヤ構造の例を示す図である。
【図１１】写真シール作成装置の内部の構成例を示すブロック図である。
【図１２】制御部の機能構成例を示すブロック図である。
【図１３】編集処理部の機能構成例を示すブロック図である。
【図１４】写真シール作成ゲーム処理について説明するフローチャートである。
【図１５】撮影コース選択画面の例を示す図である。
【図１６】ライブビュー画面の例を示す図である。
【図１７】図１４のステップＳ４において行われる編集処理について説明するフローチャートである。
【図１８】図１７のステップＳ７５において行われる携帯送信用画像作成処理について説明するフローチャートである。
【図１９】デザイン選択画面の例を示す図である。
【図２０】画像選択画面の例を示す図である。
【図２１】画像選択画面の例を示す図である。
【図２２】画像選択画面の例を示す図である。
【図２３】画像配置領域を押下する操作について説明する図である。
【図２４】撮影画像の表示順の第１の例を示す図である。
【図２５】撮影画像の表示順の第２の例を示す図である。
【図２６】撮影画像の表示順の第３の例を示す図である。
【図２７】撮影画像の表示順の第４の例を示す図である。
【図２８】撮影画像の表示順の第５の例を示す図である。
【図２９】撮影画像の表示順の第６の例を示す図である。
【図３０】撮影画像の表示順の第７の例を示す図である。
【図３１】撮影画像の表示順の第８の例を示す図である。
【図３２】撮影画像の表示順の第９の例を示す図である。
【図３３】撮影画像の表示順の第１０の例を示す図である。
【図３４】画像選択画面の例を示す図である。
【図３５】画像選択画面の例を示す図である。
【図３６】加工選択画面の例を示す図である。
【図３７】分割数選択画面の例を示す図である。
【図３８】分割数選択画面の他の例を示す図である。
【図３９】背景選択画面の例を示す図である。
【図４０】撮影ポーズ選択画面の例を示す図である。
【図４１】ライブビュー表示画面の他の例を示す図である。
【発明を実施するための形態】
【００１５】
＜＜１．実施例１＞＞
＜写真シール作成装置の外観構成＞
図１および図２は、写真シール作成装置１の外観の構成例を示す斜視図である。
【００１６】
写真シール作成装置１は、撮影画像や編集画像を提供するゲーム機である。写真シール作成装置１は、画像をシール紙に印刷したり、画像を利用者の携帯端末上で閲覧可能にするためにその画像をサーバに送信することで、利用者に画像を提供する。写真シール作成装置１は、アミューズメント施設や店舗に設置される。写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１７】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１８】
図１に示すように、写真シール作成装置１は、基本的に、撮影ユニット１１と編集ユニット１２が接した状態で設置されることによって構成される。
【００１９】
撮影ユニット１１は、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離れて設置される。撮影部２１と背景部２２の間に形成される空間が、撮影処理が行われる撮影空間となる。
【００２０】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２１】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０は、側面パネル４１Ｂに設置されるようにしてもよいし、側面パネル４１Ａ，４１Ｂの両方に設置されるようにしてもよい。
【００２２】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２３】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２４】
なお、背面パネル５１の撮影空間側の面には、例えば緑色のクロマキー用のシートが貼り付けられる。写真シール作成装置１は、クロマキー用のシートを背景として撮影することで、撮影処理や編集処理においてクロマキー合成を行う。これにより、利用者が所望する背景画像がシートの部分に合成される。
【００２５】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００２６】
撮影空間の上方には、撮影部２１の正面、連結部２３Ａ、および連結部２３Ｂに囲まれた天井が形成される。その天井の一部に、天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられている。これにより、天井ストロボユニット２４は、撮影空間の照明としても機能する。
【００２７】
編集ユニット１２は、撮影画像に編集を施すための装置である。編集ユニット１２は、一方の側面が撮影部２１の正面パネル４２に接するようにして、撮影ユニット１１に連結している。
【００２８】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００２９】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００３０】
編集ユニット１２の上方にはカーテンレール２６が取り付けられる。カーテンレール２６は、３本のレール２６Ａ乃至２６Ｃが、組み合わせられて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００３１】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３２】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００３３】
＜利用者の移動について＞
ここで、写真シール作成ゲームの流れと、それに伴う利用者の移動について説明する。
図３は、写真シール作成装置１を上から見た平面図である。
【００３４】
まず、利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００３５】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。そして利用者は、撮影部２１に設けられたカメラやタッチパネルモニタなど利用して撮影作業を行う。
【００３６】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００３７】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００３８】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００３９】
印刷待ち空間Ａ３に移動した利用者は、画像の印刷の終了を待つ。印刷が終了すると、利用者は、編集ユニット１２の右側面に設けられた排出口から排出されたシール紙を受け取り、一連の写真シール作成ゲームを終える。
【００４０】
次に、各装置の構成について説明する。
【００４１】
＜事前選択部の構成＞
図４は、事前選択部２０の構成例を示す図である。
【００４２】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、撮影に関するコースの選択、利用者の名前の登録などを行わせるための画面が表示される。
【００４３】
タッチパネルモニタ７１の下方にはスピーカ７２が設けられる。スピーカ７２は、事前選択処理の案内音声、BGM（Back Ground Music）、効果音などを出力する。また、スピーカ７２に隣接するようにして、利用者が硬貨を入れる硬貨投入返却口７３が設けられる。
【００４４】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００４５】
正面パネル４２の中央にはカメラユニット８１が設けられる。カメラユニット８１は、カメラ９１およびタッチパネルモニタ９２から構成される。
【００４６】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００４７】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。タッチパネルモニタ９２には、カメラ９１により取り込まれた動画像（ライブビュー画像）や静止画像（撮影画像）が表示される。
【００４８】
カメラユニット８１の上方には、曲面の発光面を利用者に向けた上ストロボ８２が設置される。上ストロボ８２は、正面上方から利用者の顔および上半身に光を照射する。
【００４９】
カメラユニット８１の左方には、平面の発光面を利用者に向けた左ストロボ８３が設置される。左ストロボ８３は、正面左方から利用者の顔および上半身に光を照射する。カメラユニット８１の右方には、平面の発光面を利用者に向けた右ストロボ８４が設置される。右ストロボ８４は、正面右方から利用者の顔および上半身に光を照射する。
【００５０】
また、カメラユニット８１の下方には、利用者の下半身および足元に光を照射する足元ストロボ８５が設けられる。
【００５１】
なお、図示はしないが、正面パネル４２の例えば天井付近には、スピーカが設けられる。そのスピーカは、撮影処理の案内音声、BGM、効果音などを出力する。
【００５２】
＜背景部の構成＞
図６は、背景部２２の撮影空間Ａ１側の構成例を示す図である。
【００５３】
背面パネル５１の上方には、背面上ストロボ１０１が設置される。背面上ストロボ１０１は、背面上方から利用者に光を照射する。
【００５４】
図中、背面パネル５１の左方には、背面左ストロボ１０２が設置される。背面左ストロボ１０２は、背面右方から利用者を照射する。図中、背面パネル５１の右方には、背面右ストロボ１０３が設置される。背面右ストロボ１０３は、背面左方から利用者を照射する。
【００５５】
また、背面パネル５１の撮影空間Ａ１側（図中、手前側）の面には、クロマキーシート１２１が貼り付けられる。クロマキーシート１２１の色は、例えば緑色とされる。
【００５６】
なお、図示はしないが、側面パネル５２Ａ，５２Ｂの撮影空間Ａ１側の面にも、クロマキーシート１２１と同様に、クロマキーシートが貼り付けられる。
【００５７】
＜編集ユニットの構成＞
図７は、編集ユニット１２の正面側（編集空間Ａ２−１側）の構成例を示す図である。
【００５８】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００５９】
タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６０】
図８は、編集ユニット１２の左側面の構成例を示す図である。
【００６１】
編集ユニット１２の左側面の下側にはシール紙排出口１４１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１４１から排出される。
【００６２】
＜シール紙の例＞
図９は、以上のような外観構成を有する写真シール作成装置１により作成されるシール紙の例を示す図である。
【００６３】
図９に示す横長のシール紙には、５枚の編集画像である編集画像１６１−１乃至１６１−５が横に並べて印刷されている。
【００６４】
編集画像１６１−１乃至１６１−５のうち、編集画像１６１−１乃至１６１−３は、アップ画像に対して編集が施されることによって生成された画像であり、編集画像１６１−４と編集画像１６１−５は、全身画像に対して編集が施されることによって生成された画像である。
【００６５】
アップ画像は、顔部分を中心として、利用者の略胸から上の範囲を撮影範囲とした撮影画像である。一方、全身画像は、利用者の全身を含む範囲を撮影範囲とした撮影画像である。アップ画像の撮影と全身画像の撮影は、それぞれカメラ９１の画角を変えて行われる。
【００６６】
アップ画像と全身画像は縦横比が異なる。例えば、アップ画像の横方向の長さと縦方向の長さの比は１：１．２であり、全身画像の横方向の長さと縦方向の長さの比は３：４である。図９の例においては、アップ画像と全身画像が、横方向の長さを同じ長さとして印刷されている。なお、実際には、利用者の背景には、所定の色や柄の画像である背景画像が合成され、前景には、手書きの文字やスタンプ画像などの合成用画像が合成される。
【００６７】
シール紙の縁の余白には、機種名（LOVERY）と撮影日の他に、メールアドレス、IDなどが印刷される。余白領域に印刷されたメールアドレスとIDは、例えば、写真シール作成装置１からサーバに送信された携帯送信用画像を携帯端末で閲覧するときに利用される。
【００６８】
図１０は、編集画像のレイヤ構造の例を示す図である。
【００６９】
左端の編集画像Ｐ１が編集によって生成される画像である。編集画像Ｐ１は、背景画像Ｐ１１、撮影画像Ｐ１２、前景画像Ｐ１３の各レイヤの画像から構成される。
【００７０】
図１０の例において、背景画像Ｐ１１は、レンガを重ねた壁面の柄の画像である。前景画像Ｐ１３は、「Love my friend」の手書き文字の画像とハート型の画像を含む画像である。「Love my friend」の手書き文字の画像は、撮影画像Ｐ１２の中央下方の位置にペンツールを用いて利用者によって入力されたペン画像である。また、ハート型の画像は、撮影画像Ｐ１２の左上の位置にスタンプツールを用いて利用者によって入力されたスタンプ画像である。
【００７１】
このように、編集画像Ｐ１は、クロマキー処理によって抽出した撮影画像Ｐ１２の被写体の領域を背景画像Ｐ１１に重ね、その上に前景画像Ｐ１３を重ねることによって生成される。ペン画像やスタンプ画像を背景画像Ｐ１１上に入力し、被写体の背景に表示させるようにすることも可能とされる。
【００７２】
＜写真シール作成装置の内部構成＞
図１１は、写真シール作成装置１の内部の構成例を示すブロック図である。図１１において、上述した構成と同じ構成には同じ符号を付してある。重複する説明については適宜省略する。
【００７３】
制御部２０１はCPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、事前選択部２０８、撮影部２０９、編集部２１０Ａ，２１０Ｂ、および印刷部２１１の各構成も接続される。
【００７４】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００７５】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【００７６】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００７７】
ROM２０６は、制御部２０１において実行されるプログラムやデータを記憶する。RAM２０７は、制御部２０１が処理するデータやプログラムを一時的に記憶する。
【００７８】
事前選択部２０８は、事前選択空間Ａ０にいる利用者を対象とした事前選択処理を実現する。事前選択部２０８は、タッチパネルモニタ７１、スピーカ７２、および硬貨処理部２２１から構成される。
【００７９】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の設定が行われる。
【００８０】
硬貨処理部２２１は、硬貨投入返却口７３への硬貨の投入を検出する。硬貨処理部２２１は、所定の金額分の硬貨が投入されたことを検出した場合、ゲームの開始を指示する起動信号を制御部２０１に出力する。
【００８１】
撮影部２０９は、撮影空間Ａ１にいる利用者を対象とした撮影処理を実現する。撮影部２０９は、照明装置２３１、カメラ９１、タッチパネルモニタ９２、およびスピーカ２３２から構成される。
【００８２】
照明装置２３１は、撮影空間Ａ１内の各ストロボであり、制御部２０１から供給される照明制御信号に従って発光する。
【００８３】
カメラ９１は、制御部２０１によるシャッタ制御に従って撮影を行い、撮影によって得られた撮影画像（画像データ）を制御部２０１に出力する。
【００８４】
編集部２１０Ａは、編集空間Ａ２−１にいる利用者を対象とした編集処理を実現する。
編集部２１０Ａは、タブレット内蔵モニタ１３１、タッチペン１３２Ａ，１３２Ｂ、およびスピーカ２４１から構成される。編集部２１０Ｂは、編集空間Ａ２−２にいる利用者を対象とした編集処理を実現し、編集部２１０Ａと同一の構成を有する。なお、以下、編集部２１０Ａ，２１０Ｂを特に区別しない場合には、単に、編集部２１０という。
【００８５】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００８６】
印刷部２１１は、印刷待ち空間Ａ３にいる利用者に、印刷済みのシール紙を提供する印刷処理を実現する。印刷部２１１は、プリンタ２５１を含むように構成される。プリンタ２５１にはシール紙ユニット２５２が装着される。
【００８７】
プリンタ２５１は、制御部２０１から供給された印刷データに基づいて、編集画像をシール紙ユニット２５２に収納されているシール紙２６１に印刷し、シール紙排出口１４１に排出する。
【００８８】
＜制御部の構成＞
図１２は、制御部２０１の機能構成例を示すブロック図である。図１２に示す機能部のうちの少なくとも一部は、制御部２０１内のCPUにより所定のプログラムが実行されることによって実現される。これにより、写真シール作成装置１は、画像提供装置として機能する。
【００８９】
制御部２０１は、事前選択処理部３０１、撮影処理部３０２、編集処理部３０３、および印刷処理部３０４から構成される。
【００９０】
事前選択処理部３０１は、事前選択部２０８の各部を制御することで、事前選択処理を行う。撮影処理部３０２は、撮影部２０９の各部を制御することで、撮影処理を行う。編集処理部３０３は、編集部２１０の各部を制御することで、編集処理を行う。印刷処理部３０４は、印刷部２１１のプリンタ２５１を制御することで、印刷処理を行う。
【００９１】
＜編集処理部の構成例＞
図１３は、編集処理部３０３の機能構成例を示すブロック図である。
【００９２】
編集処理部３０３は、表示制御部３３１、入力受付部３３２、画像処理部３３３、編集部３３４、携帯送信用画像作成部３３５、ガイダンス出力制御部３３６、および通信制御部３３７から構成される。
【００９３】
表示制御部３３１は、タブレット内蔵モニタ１３１の表示を制御する。例えば、表示制御部３３１は、タブレット内蔵モニタ１３１に、撮影画像に施される画像処理の内容の選択のための選択画面や、撮影画像を対象とした編集作業のための編集画面を表示させる。
【００９４】
入力受付部３３２は、タブレット内蔵モニタ１３１に対する、タッチペン１３２Ａ，１３２Ｂを用いた利用者の操作入力を受け付ける。例えば、入力受付部３３２は、選択画面に対する画像処理の内容の選択や、編集画面に対する入力を受け付ける。入力受付部３３２により受け付けられた利用者の操作の内容を表す情報は各部に供給される。
【００９５】
画像処理部３３３は、選択画面に対する選択操作に応じて、撮影画像に所定の画像処理を施す。
【００９６】
編集部３３４は、編集画面に対する入力操作に応じて撮影画像に編集を施し、編集画像を生成する。
【００９７】
携帯送信用画像作成部３３５は、利用者に画像データとして提供される携帯送信用画像を作成する。写真シール作成装置１は、撮影や落書き等の体験をゲームとして利用者に提供したり、そのゲームの成果物（提供物）としてシール紙を利用者に提供したりするだけでなく、携帯送信用画像の提供も行う。
【００９８】
携帯送信用画像は、利用者の携帯端末等の電子機器に画像データとして提供される。例えば、携帯送信用画像は、画像データとして所定のサーバ等にアップロードされる。そして、その携帯送信用画像を入手するためのアクセス先アドレス（つまり、そのサーバのURL）等が示されるメッセージが、電子メール等として、利用者が入力した携帯端末等のアドレス宛てに送信される。アクセス先アドレスはシール紙の余白にも印刷される。利用者は、携帯端末等を用いて、通知されたアクセス先アドレスにアクセスしてアップロードされた携帯送信用画像を取得し、表示させる。
【００９９】
携帯送信用画像は、利用者が携帯端末等に表示させて楽しむ他、データを友人・知人等と交換したり、表示させた画像を見せ合ったりする等、コミュニケーションツールとして利用される。また、携帯送信用画像は、SNS（Social Networking Service）やインターネット掲示板等のインターネットを利用した交流サービス（交流サイト）等において、アカウント（利用者）を識別するためのアイコン等として２次利用することもできる。そのため、携帯送信用画像のデザイン性を向上させることにより、携帯送信用画像に対する利用者の満足度を向上させることができる。そして、携帯送信用画像を得るために「もう一度プレイしたい」という意欲を利用者に与え、所謂リピータを増加させることを期待することができる。つまり、写真シール作成装置１の利用者数を増加させ、写真シール作成装置１の収益の向上を期待することができる。
【０１００】
付言するに、利用者がこのような携帯送信用画像を利用することにより、携帯送信用画像が写真シール作成装置１の広告としての役割も果たすこともある。従って、携帯送信用画像のデザイン性を向上させることにより、単にその利用者の満足度を向上させるだけでなく、その利用者が提供物を交換した若しくは見せ合った相手の、写真シール作成装置１に対する期待度（つまり、写真シール作成装置１でプレイしてみたいという気持ち）を向上させることを期待することができる。すなわち、写真シール作成装置１の収益の向上を期待することができる。
【０１０１】
ガイダンス出力制御部３３６は、編集の進め方などを説明するガイダンスの出力を制御する。ガイダンス出力制御部３３６は、編集の進め方などを説明する画面をタブレット内蔵モニタ１３１に表示させたり、編集の進め方などを説明する音声をスピーカ２４１から出力させたりする。
【０１０２】
通信制御部３３７は、通信部２０３を制御し、インターネットなどのネットワークを介した通信に関する処理を行う。例えば、通信制御部３３７は、通信部２０３を制御し、携帯送信用画像を外部のサーバへ送信する。
【０１０３】
＜写真シール作成装置の動作＞
ここで、図１４のフローチャートを参照して、写真シール作成ゲームを提供する写真シール作成装置１の動作について説明する。
【０１０４】
ステップＳ１において、事前選択処理部３０１は、所定の金額分の硬貨が投入されたか否かを、硬貨処理部２２１から供給される起動信号に基づいて判定し、硬貨が投入されたと判定するまで待機する。
【０１０５】
ステップＳ１において、硬貨が投入されたと判定された場合、処理はステップＳ２に進む。ステップＳ２において、事前選択処理部３０１は、事前選択部２０８を制御することで、事前選択処理を行う。具体的には、事前選択処理部３０１は、撮影空間で行われる撮影に関するコースの選択などを利用者に行わせることで、各種の設定を行う。
【０１０６】
図１５は、撮影コース選択画面の例を示す図である。
【０１０７】
図１５の撮影コース選択画面３５０は撮影コースの選択に用いられる画面であり、事前選択部２０のタッチパネルモニタ７１に表示される。
【０１０８】
撮影コース選択画面３５０の中央上方には、「撮りたいコースを選んでね」のメッセージが表示され、その下に、GUI（Graphical User Interface）であるボタン３５１とボタン３５２が表示される。
【０１０９】
ボタン３５１は、撮影コースとして「アップ＋全身」コースを選択するときに操作されるボタンである。「アップ＋全身」コースは、複数回（例えば５回）行われる撮影として、アップ撮影と全身撮影とが行われる撮影コースである。ボタン３５１には、モデルの人物が写るアップ画像と全身画像のサンプルが表示されている。
【０１１０】
ボタン３５２は、「アップのみ」コースを選択するときに操作されるボタンである。「アップのみ」コースは、複数回行われる撮影として、アップ撮影のみが行われる撮影コースである。ボタン３５２には、モデルの人物が写るアップ画像のサンプルが表示されている。
【０１１１】
ここで、アップ撮影は、被写体の顔および上半身を撮影範囲とした撮影である。アップ撮影により、被写体の顔および上半身が写るアップ画像が得られる。一方、全身撮影とは、被写体の全身を撮影範囲とした撮影である。全身撮影により、被写体の全身が写る全身画像が得られる。
【０１１２】
ボタン３５１またはボタン３５２が操作されることによって、事前選択処理部３０１は、撮影コースの選択を受け付ける。撮影空間Ａ１においては、ここで選択された撮影コースに従って撮影が行われる。
【０１１３】
すなわち、ボタン３５１が操作され、「アップ＋全身」コースが選択された場合、例えば５回行われる撮影のうちの１乃至３回目の撮影がアップ撮影となり、４回目と５回目の撮影が全身撮影となる。この場合、３枚のアップ画像と２枚の全身画像が得られる。
【０１１４】
また、ボタン３５２が操作され、「アップのみ」コースが選択された場合、アップ撮影のみが５回行われる。この場合、５枚のアップ画像が得られる。利用者は全身画像を得ることができない。
【０１１５】
図１４のステップＳ３において、撮影処理部３０２は、撮影部２０９を制御することで、撮影処理を行う。具体的には、撮影処理部３０２は、カメラ９１に取り込まれた被写体の動画像をタッチパネルモニタ９２にライブビュー表示させ、所定のタイミングで、撮影空間Ａ１にいる利用者を被写体として撮影し、撮影画像を生成する。
【０１１６】
図１６は、ライブビュー表示画面の例を示す図である。
【０１１７】
図１６のライブビュー表示画面３６０の中央には、上方に寄せて画像表示領域３６１が形成される。画像表示領域３６１には、カメラ９１により取り込まれた利用者の動画像がリアルタイムで表示される。図１６の例においては、２人の利用者の全身が映る動画像が画像表示領域３６１に表示されている。
【０１１８】
画像表示領域３６１の下には、画像表示領域３６２−１乃至３６２−５が横に並べて形成される。画像表示領域３６２−１乃至３６２−５には、それぞれ、各回の撮影により得られた静止画像である撮影画像が、撮影直後から表示される。画像表示領域３６２−１乃至３６２−５の表示から、利用者は撮影画像の撮影結果を確認することができる。
【０１１９】
図１６の例の場合、１回目から３回目までの撮影はアップ撮影であり、それぞれのアップ撮影によって得られたアップ画像が画像表示領域３６２−１乃至３６２−３に表示されている。また、４回目と５回目の撮影は全身撮影であり、４回目の全身撮影によって得られた全身画像が画像表示領域３６２−４に表示されている。図１６の状況は、４回目の撮影が終了し、５回目の撮影として全身撮影を行う前の状況である。画像表示領域３６２−５には撮影結果がまだ表示されておらず、次の撮影が５回目の撮影であることを表すように、画像表示領域３６２−５の枠が強調表示されている。
【０１２０】
アップ撮影と全身撮影とでは撮影範囲が互いに異なるため、アップ画像と全身画像とを同一の画像サイズで比較した場合、画像に写る被写体（利用者）の大きさが異なる。例えば、撮影画像に含まれる被写体の顔の大きさは、アップ画像と全身画像とで明確に異なる。
【０１２１】
なお、撮影範囲や撮影回数等は任意であり、上述した例に限定されない。例えば、撮影を６回以上行ってもよいし、４回以下としてもよい。また、アップ撮影と全身撮影のそれぞれの回数を上述した例以外の回数としてもよい。さらに、撮影範囲がアップ撮影の撮影範囲よりも狭くてもよいし、全身撮影の撮影範囲よりも広くてもよい。撮影範囲の形状、縦横比、向き等も任意である。また、１つの撮影コースに含まれる撮影範囲の種類が３種類以上であってもよい。アップ撮影を２回行い、全身撮影を３回行うといったように、撮影範囲を変えて行われる撮影の回数の組み合わせは任意である。
【０１２２】
図１４のステップＳ４において、編集処理部３０３は、編集空間Ａ２−１と編集空間Ａ２−２のうち、撮影処理を終えた利用者の移動先とした方の編集空間に対応する編集部２１０を制御することで、編集処理を行う。具体的には、編集処理部３０３は、撮影処理により得られた撮影画像に対して利用者に編集作業を行わせることで、編集が施された編集画像を生成する。また、編集処理部３０３は携帯送信用画像の作成も行う。
【０１２３】
ステップＳ５において、印刷処理部３０４は、プリンタ２５１を制御することで、印刷処理を行う（開始する）。具体的には、印刷処理部３０４は、編集処理により得られた編集画像をプリンタ２５１に出力してシール紙に印刷する。なお、撮影処理により得られた撮影画像が、編集されることなく、シール紙にそのまま印刷されるようにしてもよい。
【０１２４】
印刷が終了すると、ステップＳ６において、プリンタ２５１は、画像が印刷されたシール紙をシール紙排出口１４１に排出し、処理を終了させる。
【０１２５】
＜編集処理の流れ＞
次に、図１７のフローチャートを参照して、図１４のステップＳ４において行われる編集処理について説明する。
【０１２６】
ステップＳ７１において、表示制御部３３１は、目の大きさ選択画面をタブレット内蔵モニタ１３１に表示させる。
【０１２７】
目の大きさ選択画面は、撮影画像に写る利用者の目の大きさの選択に用いられる画面である。利用者によって、目の大きさ選択画面に表示される複数の顔画像のうちのいずれかが選択されると、入力受付部３３２は、その選択を受け付ける。画像処理部３３３は、撮影処理によって得られた撮影画像から目の領域を抽出し、大きさを変えるなどの画像処理を行う。
【０１２８】
ステップＳ７２において、表示制御部３３１は、撮影画像に写る利用者の背景となる背景画像を選択させるための選択画面をタブレット内蔵モニタ１３１に表示させる。背景画像が選択された場合、画像処理部３３３は、選択された背景画像を、撮影処理によって得られた撮影画像に写る被写体の背景に合成する。
【０１２９】
ステップＳ７３において、表示制御部３３１は編集画面をタブレット内蔵モニタ１３１に表示させる。例えば、編集画面には、タブレット内蔵モニタ１３１に向かって左側に立つ利用者用の領域と右側に立つ利用者用の領域が形成される。左側の利用者用の領域と右側の利用者用の領域のそれぞれの領域には、５枚の撮影画像を縮小したサムネイル画像の表示領域、サムネイル画像を用いて選択された編集対象の撮影画像の表示領域、編集に用いる編集ツール（合成用画像）の選択に用いられる複数のボタンの表示領域などが配置される。例えば２人の利用者は、左右の領域を用いて撮影画像の編集を同時に行うことができる。
【０１３０】
また、編集画面の左右に形成された領域には、それぞれ、携帯送信用画像の作成を行うときに操作される作成ボタンも表示される。例えば、左側の利用者用の領域に表示された作成ボタンが操作された場合、その領域には、撮影画像の編集に用いられる各表示に代えて、携帯送信用画像の作成に用いられる画面が表示される。利用者は、編集中に、携帯送信用画像の作成を開始することができる。
【０１３１】
ステップＳ７４において、入力受付部３３２が、編集画面に表示されている撮影画像に対する編集入力を受け付けると、編集部３３４は、撮影画像の編集を行う。具体的には、編集部３３４は、利用者に選択されたスタンプ画像等の合成用画像を、編集対象となる撮影画像に合成する。
【０１３２】
編集画面に表示された作成ボタンが操作された場合、ステップＳ７５において、携帯送信用画像作成部３３５は携帯送信用画像作成処理を行う。携帯送信用画像作成処理の詳細については図１８のフローチャートを参照して後述する。なお、編集中ではなく、編集画面を用いた編集の終了後に携帯送信用画像作成処理が行われるようにしてもよい。
【０１３３】
携帯送信用画像作成処理の終了後、タブレット内蔵モニタ１３１の表示は編集画面が表示される状態に戻り、制限時間が経過したり、編集の終了が指示されたりするまで、撮影画像の編集が続けられる。
【０１３４】
制限時間が経過するなどして編集が終了した場合、ステップＳ７６において、表示制御部３３１は、タブレット内蔵モニタ１３１に分割数選択画面を表示する。分割数選択画面は、編集画像をシール紙に印刷するときの分割数（レイアウト）の選択に用いられる画面である。ここで選択されたレイアウトに応じて各編集画像が配置され、シール紙に印刷される（図１４のステップＳ５）。
【０１３５】
ステップＳ７７において、表示制御部３３１は、タブレット内蔵モニタ１３１にメールアドレス入力画面を表示させる。そして、入力受付部３３２は、利用者の所有する携帯端末のメールアドレスの入力を受け付ける。
【０１３６】
ステップＳ７８において、通信制御部３３７は、通信部２０３を制御することで、インターネットなどのネットワークを介して、利用者により選択された携帯送信用画像を、利用者により入力されたメールアドレスとともに、サーバに送信する。サーバは、例えば写真シール作成装置１の製造メーカにより管理される。
【０１３７】
サーバは、利用者により入力されたメールアドレス宛てに、携帯端末がサーバにアクセスするのに必要なURLが記載されたメールを送信する。そして、そのURLに基づいて、利用者が所有する携帯端末が、ネットワークを介してサーバにアクセスすることで、サーバに送信された携帯送信用画像が携帯端末に提供される。
【０１３８】
その後、ステップＳ７９において、ガイダンス出力制御部３３６は、編集作業を終えた利用者に対して、印刷待ち空間Ａ３への移動を案内する。印刷待ち空間Ａ３への移動の案内は、編集部２１０のタブレット内蔵モニタ１３１に案内画面を表示させることによって、または音声をスピーカ２４１から出力させることによって行われる。その後、図１４のステップＳ４に戻り、それ以降の処理が行われる。
【０１３９】
＜携帯送信用画像作成処理の流れ＞
次に、図１８のフローチャートを参照して、図１７のステップＳ７５において行われる携帯送信用画像作成処理について説明する。
【０１４０】
ステップＳ１０１において、表示制御部３３１はデザイン選択画面をタブレット内蔵モニタ１３１に表示させる。デザイン選択画面は、携帯送信用画像のデザインの選択に用いられる画面である。
【０１４１】
図１９は、デザイン選択画面の表示例を示す図である。
【０１４２】
編集画面４０１の左側に形成された領域４１０Ｌは左側に立つ利用者用の領域であり、右側に形成された領域４１０Ｒは右側に立つ利用者用の領域である。図１９の例においては、領域４１０Ｌの作成ボタンが操作され、撮影画像の編集に用いる各表示に代えて、デザイン選択画面が領域４１０Ｌに表示されている。
【０１４３】
なお、図１９の領域４１０Ｒに何も示されていないが、実際には、上述した編集対象の撮影画像の表示領域、編集ツールの選択に用いられるボタンの表示領域などの、撮影画像の編集に用いる情報が表示される。領域４１０Ｌの表示を用いて一方の利用者により携帯送信用画像の作成が行われている間、領域４１０Ｒにおいては、撮影画像の編集が続けられる。
【０１４４】
領域４１０Ｒの作成ボタンが操作された場合、領域４１０Ｒにも、デザイン選択画面などの、携帯送信用画像の作成に用いられる画面が表示される。この場合、携帯送信用画像の作成が、左右の利用者によって並行して行われることになる。後述する図２０等においても同様である。
【０１４５】
デザイン選択画面の中央上方には、携帯送信用画像のデザインの選択を促す「好きなデザインを選んでね」のメッセージが表示される。利用者は、そのメッセージによって、何をすべきか（携帯送信用画像のデザインを選択するということ）を容易に理解することができる。
【０１４６】
デザインの選択を促すメッセージの下には、サンプル画像４１１−１乃至４１１−５が表示される。サンプル画像４１１−１乃至４１１−５は、それぞれ、携帯送信用画像のデザインの見本となる画像である。サンプル画像４１１−１乃至４１１−５を用いて、携帯送信用画像の作成に用いる撮影画像の数、撮影画像の大きさ、撮影画像の配置位置などの、撮影画像のレイアウトが選択される。携帯送信用画像のデザインは、図１９のサンプル画像に示すデザインに限られるものではない。
【０１４７】
サンプル画像４１１−１乃至４１１−５には、モデルの人物が写る画像が配置されている。人物が写る画像の領域以外の領域を余白領域とすると、余白領域には、利用者の名前等の文字や各種のイラストが配置される。利用者の名前は、例えば事前選択処理時に利用者により入力された名前である。
【０１４８】
この例においては、携帯送信用画像の形状は横長長方形である。正方形の携帯送信用画像が作成されるようにしてもよい。
【０１４９】
デザイン選択画面の上段にはサンプル画像４１１−１とサンプル画像４１１−２が表示される。サンプル画像４１１−１は、１枚の撮影画像を右側に寄せて配置するデザインを表す。サンプル画像４１１−２は、２枚の撮影画像を横に並べて配置するデザインを表す。
【０１５０】
中段にはサンプル画像４１１−３とサンプル画像４１１−４が表示される。サンプル画像４１１−３は、３枚の撮影画像を横に並べ、下方に寄せて配置するデザインを表す。サンプル画像４１１−４は、４枚の撮影画像を横に並べ、略中央に配置するデザインを表す。
【０１５１】
下段にはサンプル画像４１１−５が表示される。サンプル画像４１１−５は、５枚の撮影画像を横に並べて略中央に配置するデザインを表す。
【０１５２】
利用者は、タッチペン１３２を用いてサンプル画像を押下することにより、好みのデザインを選択することができる。
【０１５３】
サンプル画像４１１−１乃至４１１−５に示されるように、携帯送信用画像の作成には、撮影範囲が同一の撮影画像として例えばアップ画像のみが用いられる。「アップ＋全身」コースで撮影が行われた場合であっても、携帯送信用画像の作成には全身画像は用いられない。
【０１５４】
アップ画像のみを携帯送信用画像に配置することにより、利用者は、自身の顔が大きく写る、見栄えのよい携帯送信用画像を作成することができる。
【０１５５】
「アップ＋全身」コースで撮影が行われた場合、撮影範囲が互いに異なるアップ画像と全身画像とが撮影処理によって得られる。例えば全身画像を配置した携帯送信用画像を作成するとした場合、配置する撮影画像の数によっては、利用者の顔を確認できない携帯送信用画像となってしまう可能性があるが、アップ画像のみを配置した携帯送信用画像を作成することにより、そのようなことを防ぐことが可能になる。
【０１５６】
全身画像の撮影が行われている場合、当然、アップ画像と全身画像を用いて携帯送信用画像が作成されるようにしてもよいし、全身画像のみを用いて携帯送信用画像が作成されるようにしてもよい。
【０１５７】
また、図１９の例においては、モデルが写る撮影画像が配置されたサンプル画像が表示されているが、撮影処理によって得られた、利用者が写る撮影画像が配置されたサンプル画像が表示されるようにしてもよい。これにより、利用者は、最終的に得られる携帯送信用画像をより容易に、かつより正確にイメージすることができる。
【０１５８】
また、撮影画像ではなく、編集によって得られた編集画像が携帯送信用画像の作成に用いられるようにしてもよい。この場合、携帯送信用画像の作成は、編集処理の終了後に行われる。
【０１５９】
デザイン選択画面の右下には、携帯送信用画像のデザインを決定するときに操作される決定ボタン４１２が表示される。サンプル画像４１１−１乃至４１１−５のうちのいずれかのサンプル画像が押下されることによって選択され、その状態で決定ボタン４１２が操作された場合、携帯送信用画像のデザインが決定される。
【０１６０】
図１８の説明に戻り、携帯送信用画像のデザインが選択された場合、ステップＳ１０２において、表示制御部３３１は、デザイン選択画面に代えて、画像選択画面をタブレット内蔵モニタ１３１に表示させる。画像選択画面は、携帯送信用画像に配置する撮影画像の選択に用いられる画面である。
【０１６１】
上述したように、撮影処理においては５枚の撮影画像が得られるが、例えばサンプル画像４１１−１のデザインはそのうちの１枚の撮影画像を携帯送信用画像に配置するデザインである。５枚の撮影画像のうちのどの撮影画像を配置した携帯送信用画像を作成するのかが、画像選択画面を用いて選択される。
【０１６２】
図２０は、画像選択画面の表示例を示す図である。
【０１６３】
画像選択画面の中央上方には、携帯送信用画像に配置する撮影画像を切り替えることができることを表す「写真にタッチするとちがう写真に切り替わるよ」のメッセージが表示されている。
【０１６４】
図２０のメッセージの下には確認用画像４２１が表示されている。確認用画像４２１は、デザイン選択画面においてサンプル画像４１１−２を選択した場合に表示される画像である。
【０１６５】
画像選択画面に表示される確認用画像は、利用者が、作成される携帯送信用画像のイメージを確認するための画像である。確認用画像は、デザイン選択画面を用いて選択されたデザインのレイアウト画像に撮影画像を配置することによって構成される。
【０１６６】
確認用画像４２１に形成された画像配置領域４２１Ａと画像配置領域４２１Ｂには、撮影処理によって得られた、利用者が被写体として写るアップ画像が配置されている。タッチすることで表示が切り替わることを強調するために、画像配置領域の枠が点滅したり、目立つ色で表示したりするなどして強調表示されるようにしてもよい。
【０１６７】
例えば、画像配置領域４２１Ａに配置されているアップ画像は、図１６を参照して説明した１回目の撮影によって得られた撮影画像である。一方、画像配置領域４２１Ｂに配置されているアップ画像は、２回目の撮影によって得られた撮影画像である。
【０１６８】
表示制御部３３１は、１回目の撮影によって得られたアップ画像と２回目の撮影によって得られたアップ画像を取得し、サンプル画像４１１−２と同じデザインのレイアウト画像に配置して確認用画像４２１を表示させる。レイアウト画像は、画像配置領域にいずれの撮影画像も配置されていない携帯送信用画像のデータ（画像配置領域以外の携帯送信用画像のデータ）である。
【０１６９】
画像配置領域を押下する操作が行われた場合、押下された画像配置領域に表示される撮影画像が、他の撮影画像に変更される。画像配置領域を押下する操作は、タッチペン１３２または指により行われる。
【０１７０】
例えば、図２１に示すように、画像配置領域４２１Ａ内の位置ｐ１を押下する操作が行われた場合、図２２に示すように、それまで表示されていた撮影画像に代えて、他の撮影画像が画像配置領域４２１Ａに表示される。
【０１７１】
図２２の画像配置領域４２１Ａに新たに表示されたアップ画像は、図１６を参照して説明した３回目の撮影によって得られた撮影画像である。表示制御部３３１は、３回目の撮影によって得られたアップ画像を取得し、それまで表示させていた１回目の撮影によって得られたアップ画像に代えて、新たに取得したアップ画像を画像配置領域４２１Ａに表示させることになる。
【０１７２】
このように、利用者は、撮影画像を直接押下するだけで、携帯送信用画像に配置する撮影画像を変更することができる。
【０１７３】
また、選択候補となる撮影画像を表示するための領域を領域４１０Ｌ内に確保する必要がないため、確認用画像４２１の表示に広い領域を割り当てることが可能になる。利用者は、大きく表示された確認用画像４２１を見て、携帯送信用画像に配置する撮影画像を詳細まで確認し、写りのよい撮影画像が配置された携帯送信用画像を作成することができる。すなわち、以上のような表示により、視認性と操作性を向上させることができることになる。
【０１７４】
画像配置領域４２１Ａ，４２１Ｂに対する操作が続けて行われた場合、それらの領域に表示される撮影画像が同様にして変更される。
【０１７５】
例えば、図２２の状態で画像配置領域４２１Ａを押下する操作が再度行われた場合、撮影処理においてアップ撮影が３回行われているときには（「アップ＋全身」コースが選択されているときには）、画像配置領域４２１Ａには、３回目の撮影によって得られたアップ画像に代えて、１回目の撮影によって得られたアップ画像が表示される。すなわち、全身画像は用いられず、アップ画像のみがトグル方式で変更して表示される。
【０１７６】
また、例えば、図２２の状態で画像配置領域４２１Ａに対する操作が再度行われた場合、撮影処理においてアップ撮影が５回行われているときには（「アップのみ」コースが選択されているときには）、画像配置領域４２１Ａには、３回目の撮影によって得られたアップ画像に代えて、４回目の撮影によって得られたアップ画像が表示される。
【０１７７】
利用者は、好みの撮影画像を画像配置領域に表示させ、その状態で決定ボタン４１２を操作することによって、携帯送信用画像に配置する撮影画像を選択する。画像配置領域における撮影画像の表示順については後述する。
【０１７８】
図１８の説明に戻り、ステップＳ１０３において、表示制御部３３１は、画像配置領域を押下する操作が行われる毎に、画像配置領域に表示させる撮影画像を変更する。
【０１７９】
携帯送信用画像に配置する撮影画像が選択された場合、ステップＳ１０４において、携帯送信用画像作成部３３５は携帯送信用画像を作成する。携帯送信用画像作成部３３５は、複数回の撮影によって得られた複数の撮影画像のうち、利用者により最終的に選択された撮影画像を取得し、利用者により選択されたデザインのレイアウト画像に配置して携帯送信用画像を作成する。
【０１８０】
その後、図１７のステップＳ７５に戻り、分割数の選択などが行われた後、以上のようにして作成された携帯送信用画像が送信される。
【０１８１】
図２３は、画像配置領域を押下する操作について説明する図である。
【０１８２】
説明の便宜上、図２３においては、図２０等を参照して説明した確認用画像４２１を、枠のみを用いて示している。確認用画像４２１の左側に画像配置領域４２１Ａが形成され、右側に画像配置領域４２１Ｂが形成される。
【０１８３】
以上においては、画像配置領域内の位置を押下する操作が行われた場合に画像配置領域の表示を変更するものとしたが、画像配置領域近傍の位置を押下する操作が行われた場合にも、画像配置領域の表示を変更するようにしてもよい。
【０１８４】
例えば、画像配置領域４２１Ａの近傍の位置である図２３の位置ｐ１１を押下する操作が行われた場合、その操作からは、画像配置領域４２１Ａに表示されている撮影画像を変更しようという利用者の意思を読み取ることが可能である。位置ｐ１１を押下する操作が行われた場合に、画像配置領域４２１Ａの撮影画像を変更することにより、利用者の意思に沿った表示の変更が可能になる。
【０１８５】
ただし、図２３の位置ｐ１２を押下する操作が行われた場合、その操作からは、画像配置領域４２１Ａに表示されている撮影画像を変更しようとしているのか、画像配置領域４２１Ｂに表示されている撮影画像を変更しようとしているのかが不明である。従って、ある画像配置領域と他の画像配置領域の間の位置を押下する操作が行われた場合には、撮影画像の表示は変更されない。これにより、利用者の意思と異なる表示の変更が行われるのを防ぐことができる。
【０１８６】
なお、ある画像配置領域と他の画像配置領域の間の位置を押下する操作が行われた場合、両方の画像配置領域の撮影画像を、それぞれ他の撮影画像に変更するようにしてもよい。また、タッチペン１３２で押下された位置からそれぞれの画像配置領域までの距離を検出し、最も近い画像配置領域の表示を変更するようにしてもよい。
【０１８７】
＜撮影画像の表示順について＞
ここで、画像配置領域における撮影画像の表示順について説明する。
【０１８８】
各種の表示順について説明するが、領域４１０Ｌに表示された画像選択画面と領域４１０Ｒに表示された画像選択画面においては、同じデザインが選択された場合には、同じ表示順で撮影画像が表示される。
【０１８９】
・画像配置領域が１箇所形成されているデザインの場合
図２４は、撮影画像の表示順の例を示す図である。
【０１９０】
図２４の確認用画像４３１は、デザイン選択画面においてサンプル画像４１１−１を押下し、画像配置領域が１箇所形成されているデザインを選択した場合に画像選択画面に表示される画像である。利用者は、確認用画像４３１に形成された画像配置領域４３１Ａを押下することにより、画像配置領域４３１Ａに表示させる撮影画像を変更することができる。
【０１９１】
図２３の場合と同様に確認用画像４３１を枠で表しているが、実際には、画像配置領域４３１Ａには撮影画像が配置され、余白領域には文字やイラストなどが配置される。図２５以降の図においても同様である。
【０１９２】
確認用画像４３１には、右側に寄せて画像配置領域４３１Ａが形成される。例えば図２４Ａの画像配置領域４３１Ａ内に示す「アップ  No.1」は、画像配置領域４３１Ａに表示されている撮影画像が、５回の撮影のうちの１回目の撮影によって得られたアップ画像であることを表す。すなわち、「アップ」はアップ画像を表し、それに続く番号は何回目の撮影であるのかを表す。同様に、例えば「アップ  No.3」は３回目の撮影によって得られたアップ画像を表し、「全身  No.5」は５回目の撮影によって得られた全身画像を表すことになる。
【０１９３】
図２４を参照して、「アップ＋全身」コースで撮影が行われ、３枚のアップ画像と２枚の全身画像が得られている場合の表示順について説明する。
【０１９４】
画像選択画面の表示開始時、図２４Ａに示すように、確認用画像４３１の画像配置領域４３１Ａには１回目の撮影によって得られたアップ画像が表示される。
【０１９５】
図２４Ａの状態で画像配置領域４３１Ａを押下する操作が行われた場合、矢印＃１１の先に示すように、画像配置領域４３１Ａの表示は、２回目の撮影によって得られたアップ画像に変更される（図２４Ｂ）。
【０１９６】
図２４Ｂの状態で画像配置領域４３１Ａを押下する操作が行われた場合、矢印＃１２の先に示すように、画像配置領域４３１Ａの表示は、３回目の撮影によって得られたアップ画像に変更される（図２４Ｃ）。
【０１９７】
図２４Ｃの状態で画像配置領域４３１Ａを押下する操作が行われた場合、矢印＃１３の先に示すように、画像配置領域４３１Ａの表示は、１回目の撮影によって得られたアップ画像に変更される。これ以降、画像配置領域４３１Ａを押下する操作が行われる毎に、画像配置領域４３１Ａに表示される撮影画像が同様の順番で変更される。
【０１９８】
画像配置領域４３１Ａに表示される撮影画像が以上のようにして変更されることにより、利用者は、５枚の撮影画像のうちのアップ画像のみを１枚ずつ順次表示させて、それぞれの写りの詳細を確認することができる。
【０１９９】
この例においては、撮影範囲（画角）が同一の撮影画像が順次表示されるものとしたが、全身画像を含めて５枚の撮影画像が順に表示されるようにしてもよいし、アップ画像ではなく、２枚の全身画像のみが順に表示されるようにしてもよい。
【０２００】
次に、図２５を参照して、「アップのみ」コースで撮影が行われ、５枚のアップ画像が得られている場合の表示順について説明する。
【０２０１】
画像選択画面の表示開始時、図２５Ａに示すように、確認用画像４３１の画像配置領域４３１Ａには１回目の撮影によって得られたアップ画像が表示される。
【０２０２】
図２５Ａの状態で画像配置領域４３１Ａを押下する操作が行われた場合、矢印＃２１の先に示すように、画像配置領域４３１Ａの表示は、２回目の撮影によって得られたアップ画像に変更される（図２５Ｂ）。
【０２０３】
図２５Ｂの状態で画像配置領域４３１Ａを押下する操作が行われた場合、矢印＃２２の先に示すように、画像配置領域４３１Ａの表示は、３回目の撮影によって得られたアップ画像に変更される（図２５Ｃ）。
【０２０４】
図２５Ｃの状態で画像配置領域４３１Ａを押下する操作が行われた場合、矢印＃２３の先に示すように、画像配置領域４３１Ａの表示は、４回目の撮影によって得られたアップ画像に変更される（図２５Ｄ）。
【０２０５】
図２５Ｄの状態で画像配置領域４３１Ａを押下する操作が行われた場合、矢印＃２４の先に示すように、画像配置領域４３１Ａの表示は、５回目の撮影によって得られたアップ画像に変更される（図２５Ｅ）。
【０２０６】
図２５Ｅの状態で画像配置領域４３１Ａを押下する操作が行われた場合、矢印＃２５の先に示すように、画像配置領域４３１Ａの表示は、１回目の撮影によって得られたアップ画像に変更される（図２５Ｆ）。これ以降、画像配置領域４３１Ａを押下する操作が行われる毎に、画像配置領域４３１Ａに表示される撮影画像が同様の順番で変更される。
【０２０７】
画像配置領域４３１Ａに表示される撮影画像が以上のようにして変更されることにより、利用者は、５枚のアップ画像を１枚ずつ順次表示させて、それぞれの写りの詳細を確認することができる。
【０２０８】
・画像配置領域が２箇所形成されているデザインの場合
図２６は、撮影画像の表示順の例を示す図である。
【０２０９】
図２６の確認用画像４２１は、上述したように、デザイン選択画面においてサンプル画像４１１−２を押下し、画像配置領域が２箇所形成されているデザインを選択した場合に画像選択画面に表示される画像である。確認用画像４２１の左側には画像配置領域４２１Ａが形成され、右側には画像配置領域４２１Ｂが形成される。利用者は、画像配置領域４２１Ａまたは画像配置領域４２１Ｂを押下することにより、押下した画像配置領域に表示させる撮影画像を変更することができる。
【０２１０】
図２６を参照して、「アップ＋全身」コースで撮影が行われ、３枚のアップ画像と２枚の全身画像が得られている場合の表示順について説明する。
【０２１１】
画像選択画面の表示開始時、図２６Ａに示すように、確認用画像４２１の画像配置領域４２１Ａには１回目の撮影によって得られたアップ画像が表示され、画像配置領域４２１Ｂには２回目の撮影によって得られたアップ画像が表示される。
【０２１２】
図２６Ａの状態で画像配置領域４２１Ａを押下する操作が行われた場合、矢印＃３１の先に示すように、画像配置領域４２１Ａの表示は、３回目の撮影によって得られたアップ画像に変更される（図２６Ｂ）。画像配置領域４２１Ａを太線で示していることは、画像配置領域４２１Ａが、利用者により押下操作が行われた領域であることを表す。
【０２１３】
図２６Ｂの状態で画像配置領域４２１Ａを押下する操作が行われた場合、矢印＃３２の先に示すように、画像配置領域４２１Ａの表示は、１回目の撮影によって得られたアップ画像に変更される（図２６Ｃ）。
【０２１４】
これ以降、画像配置領域４２１Ａまたは画像配置領域４２１Ｂを押下する操作が行われる毎に、押下された画像配置領域に表示されているアップ画像が、画像配置領域４２１Ａと画像配置領域４２１Ｂに表示されていないアップ画像に変更される。
【０２１５】
画像配置領域に表示される撮影画像が以上のようにして変更されることにより、利用者は、３枚のアップ画像のうちの、異なる２枚のアップ画像が配置された携帯送信用画像を常に作成することができる。
【０２１６】
図２７を参照して、「アップのみ」コースで撮影が行われ、５枚のアップ画像が得られている場合の表示順について説明する。
【０２１７】
画像選択画面の表示開始時、図２７Ａに示すように、確認用画像４２１の画像配置領域４２１Ａには１回目の撮影によって得られたアップ画像が表示され、画像配置領域４２１Ｂには２回目の撮影によって得られたアップ画像が表示される。
【０２１８】
図２７Ａの状態で画像配置領域４２１Ａを押下する操作が行われた場合、矢印＃４１の先に示すように、画像配置領域４２１Ａの表示は、３回目の撮影によって得られたアップ画像に変更される（図２７Ｂ）。
【０２１９】
図２７Ｂの状態で画像配置領域４２１Ａを押下する操作が行われた場合、矢印＃４２の先に示すように、画像配置領域４２１Ａの表示は、４回目の撮影によって得られたアップ画像に変更される（図２７Ｃ）。
【０２２０】
図２７Ｃの状態で画像配置領域４２１Ａを押下する操作が行われた場合、矢印＃４３の先に示すように、画像配置領域４２１Ａの表示は、５回目の撮影によって得られたアップ画像に変更される（図２７Ｄ）。
【０２２１】
図２７Ｄの状態で画像配置領域４２１Ａを押下する操作が行われた場合、矢印＃４４の先に示すように、画像配置領域４２１Ａの表示は、１回目の撮影によって得られたアップ画像に変更される（図２７Ｅ）。これ以降、画像配置領域４２１Ａを押下する操作が行われる毎に、画像配置領域４２１Ａに表示される撮影画像が同様の順番で変更される。
【０２２２】
画像配置領域４２１Ａに表示される撮影画像が以上のようにして変更されることにより、利用者は、５枚のアップ画像のうちの、異なる２枚のアップ画像が配置された携帯送信用画像を作成することができる。
【０２２３】
図２７の例においては、画像配置領域４２１Ａまたは画像配置領域４２１Ｂを押下する操作が行われた場合、操作が行われた画像配置領域の表示が、いずれの画像配置領域にも表示されていない撮影画像であって、画像配置領域４２１Ａと画像配置領域４２１Ｂに表示されている撮影画像より後に撮影された撮影画像が撮影順に表示されるように変更される。
【０２２４】
例えば、図２７Ｂの状態で画像配置領域４２１Ｂを押下する操作が行われた場合、画像配置領域４２１Ｂの表示は、画像配置領域４２１Ａに表示されている３回目の撮影によって得られたアップ画像と画像配置領域４２１Ｂに表示されている２回目の撮影によって得られたアップ画像より撮影順が後の撮影画像の中から、撮影順がより先の、４回目の撮影によって得られたアップ画像に変更される。
【０２２５】
画像配置領域４２１Ａと画像配置領域４２１Ｂに表示されている撮影画像以外の撮影画像が撮影順に表示されるようにしてもよい。
【０２２６】
この場合、例えば、図２７Ｂの状態で画像配置領域４２１Ｂを押下する操作が行われたときには、画像配置領域４２１Ｂの表示は、画像配置領域４２１Ａに表示されている３回目の撮影によって得られたアップ画像と画像配置領域４２１Ｂに表示されている２回目の撮影によって得られたアップ画像を除く撮影画像の中から、撮影順がより先の、１回目の撮影によって得られたアップ画像に変更される。
【０２２７】
以上とは異なり、いずれかの画像配置領域に配置されている撮影画像と同じ撮影画像が表示されるようにしてもよい。
【０２２８】
この場合、例えば、図２７Ａの状態で画像配置領域４２１Ａを押下する操作が行われたときには、画像配置領域４２１Ａの表示は、画像配置領域４２１Ｂに表示されている撮影画像と同じであるが、画像配置領域４２１Ａに表示されている撮影画像以外の撮影画像のうち、撮影順がより先の２回目の撮影によって得られたアップ画像に変更される。
【０２２９】
例えば、写りのよい撮影画像が１枚しかない場合、その写りのよい１枚の撮影画像が並べて配置されるようにすることにより、全体として写りのよい携帯送信用画像を作成することができる。
【０２３０】
押下操作以外の特定の操作を行うことにより、画像配置領域４２１Ａの表示と画像配置領域４２１Ｂの表示が入れ替わるようにしてもよい。
【０２３１】
特定の操作には、一方の画像配置領域から他方の画像配置領域に対してスライドする操作（一方の画像配置領域内の位置にタッチペン１３２や指の先を押し当てた状態のまま他方の画像配置領域内の位置まで動かす操作）、いずれかの画像配置領域を所定の時間内に２回連続で押下する操作が含まれる。
【０２３２】
例えば、図２７Ｂの状態で画像配置領域４２１Ａから画像配置領域４２１Ｂに対してスライド操作が行われた場合、画像配置領域４２１Ａには２回目の撮影によって得られたアップ画像が表示され、画像配置領域４２１Ｂには３回目の撮影によって得られたアップ画像が表示される。
【０２３３】
これにより、利用者は、画像の入れ替えをスムーズに行うことができる。
【０２３４】
・画像配置領域が３箇所形成されているデザインの場合
図２８は、撮影画像の表示順の例を示す図である。
【０２３５】
図２８の確認用画像４４１は、デザイン選択画面においてサンプル画像４１１−３を押下し、画像配置領域が３箇所形成されているデザインを選択した場合に画像選択画面に表示される画像である。確認用画像４４１には、左から順に、画像配置領域４４１Ａ、画像配置領域４４１Ｂ、および画像配置領域４４１Ｃが形成される。利用者は、画像配置領域４４１Ａ、画像配置領域４４１Ｂ、または画像配置領域４４１Ｃを押下することにより、押下した画像配置領域に表示させる撮影画像を変更することができる。
【０２３６】
図２８を参照して、「アップ＋全身」コースで撮影が行われ、３枚のアップ画像と２枚の全身画像が得られている場合の表示順について説明する。
【０２３７】
画像選択画面の表示開始時、図２８Ａに示すように、確認用画像４４１の画像配置領域４４１Ａには１回目の撮影によって得られたアップ画像が表示され、画像配置領域４４１Ｂには２回目の撮影によって得られたアップ画像が表示される。また、画像配置領域４４１Ｃには３回目の撮影によって得られたアップ画像が表示される。
【０２３８】
図２８Ａの状態で画像配置領域４４１Ａを押下する操作が行われた場合、矢印＃５１の先に示すように、画像配置領域４４１Ａの表示は、２回目の撮影によって得られたアップ画像に変更される（図２８Ｂ）。
【０２３９】
この例においては、押下された画像配置領域の表示は、その画像配置領域に表示されている撮影画像以外の撮影画像が撮影順に表示されるように変更される。画像配置領域４４１Ａには、画像配置領域４４１Ｂに表示されている撮影画像と同じ、２回目の撮影によって得られたアップ画像が表示される。
【０２４０】
図２８Ｂの状態で画像配置領域４４１Ａを押下する操作が行われた場合、矢印＃５２の先に示すように、画像配置領域４４１Ａの表示は、３回目の撮影によって得られたアップ画像に変更される（図２８Ｃ）。
【０２４１】
図２８Ｃの状態で画像配置領域４４１Ａを押下する操作が行われた場合、矢印＃５３の先に示すように、画像配置領域４４１Ａの表示は、１回目の撮影によって得られたアップ画像に変更される（図２８Ｄ）。
【０２４２】
これ以降、画像配置領域４４１Ａ、画像配置領域４４１Ｂ、または画像配置領域４４１Ｃを押下する操作が行われる毎に、押下された画像配置領域に表示されているアップ画像が、表示されているアップ画像より後に撮影されたアップ画像に変更される。
【０２４３】
画像配置領域に表示される撮影画像が以上のようにして変更されることにより、利用者は、３枚のアップ画像を１枚ずつ順次表示させて、それぞれの写りの詳細を確認することができる。
【０２４４】
また、利用者は、写りのよい同じ撮影画像が３枚並ぶ携帯送信用画像を作成することができる。このように、複数の画像配置領域の少なくとも一部に、同じ撮影画像を重複して表示させるようにすることも可能である。
【０２４５】
３回目の撮影によって得られたアップ画像が表示されている画像配置領域を押下する操作が行われた場合、以上のように１回目の撮影によって得られたアップ画像から順に表示させるようにしてもよいし、１回目の撮影によって得られたアップ画像を表示せずに、２回目の撮影によって得られたアップ画像から順に表示させるようにしてもよい。
【０２４６】
後者の場合、利用者が、１回目の撮影によって得られたアップ画像を他の撮影画像に変更したいという意思を有しているものと考えられる。１回目の撮影によって得られたアップ画像を表示せずに、２回目の撮影によって得られたアップ画像以降を順に表示することにより、一巡するまでの表示枚数を削減することが可能になる。
【０２４７】
一方、前者の場合、２回目の撮影によって得られたアップ画像以降を見たものの、やはり１回目の撮影によって得られたアップ画像の方がよいと利用者が思うこともあり、一巡するまでの表示枚数は増えるものの、撮影画像の選択肢を増やすことが可能になる。
【０２４８】
ある画像配置領域の表示が変更されることに伴って、押下された画像配置領域とは異なる画像配置領域の表示が変更されるようにしてもよい。
【０２４９】
図２９を参照して、「アップ＋全身」コースで撮影が行われ、３枚のアップ画像と２枚の全身画像が得られている場合の他の表示順について説明する。
【０２５０】
画像配置領域４４１Ａ乃至４４１Ｃにそれぞれ１回目の撮影によって得られたアップ画像、２回目の撮影によって得られたアップ画像、および３回目の撮影によって得られたアップ画像が表示されている図２９Ａの状態で画像配置領域４４１Ａを押下する操作が行われた場合、矢印＃６１の先に示すように、画像配置領域４４１Ａの表示は、２回目の撮影によって得られたアップ画像に変更される。
【０２５１】
また、画像配置領域４４１Ａの表示の変更に伴って、２回目の撮影によって得られたアップ画像が表示されていた画像配置領域４４１Ｂの表示は、１回目の撮影によって得られたアップ画像に変更される（図２９Ｂ）。
【０２５２】
すなわち、この例においては、画像配置領域４４１Ａの表示が変更されることに伴って、同じ撮影画像が重複して表示されないように、画像配置領域４４１Ａの隣の領域である画像配置領域４４１Ｂの表示が変更されている。
【０２５３】
図２９Ｂの状態で画像配置領域４４１Ａを押下する操作が行われた場合、矢印＃６２の先に示すように、画像配置領域４４１Ａの表示は、３回目の撮影によって得られたアップ画像に変更される。
【０２５４】
また、画像配置領域４４１Ａの表示の変更に伴って、３回目の撮影によって得られたアップ画像が表示されていた画像配置領域４４１Ｃの表示は、２回目の撮影によって得られたアップ画像に変更される（図２９Ｃ）。
【０２５５】
図２９Ｃの状態で画像配置領域４４１Ａを押下する操作が行われた場合、矢印＃６３の先に示すように、画像配置領域４４１Ａの表示は、１回目の撮影によって得られたアップ画像に変更される。
【０２５６】
また、画像配置領域４４１Ａの表示の変更に伴って、１回目の撮影によって得られたアップ画像が表示されていた画像配置領域４４１Ｂの表示は２回目の撮影によって得られたアップ画像に変更され、２回目の撮影によって得られたアップ画像が表示されていた画像配置領域４４１Ｃの表示は３回目の撮影によって得られたアップ画像に変更される（図２９Ｄ）。
【０２５７】
これ以降、画像配置領域４４１Ａ、画像配置領域４４１Ｂ、または画像配置領域４４１Ｃを押下する操作が行われる毎に、押下された画像配置領域に表示されているアップ画像が、表示されているアップ画像より後に撮影されたアップ画像に変更され、それに伴って、同じ撮影画像が重複して表示されないように、他の画像配置領域の表示が変更される。
【０２５８】
これにより、利用者は、常に、異なる撮影画像が配置された携帯送信用画像を作成することができる。また、３枚のアップ画像の位置を容易に入れ替えることができる。
【０２５９】
図３０を参照して、「アップのみ」コースで撮影が行われ、５枚のアップ画像が得られている場合の表示順について説明する。この例においては、図２９の場合とは異なり、押下された画像配置領域の表示のみが変更され、他の画像配置領域の表示は変更されない。
【０２６０】
画像選択画面の表示開始時、図３０Ａに示すように、確認用画像４４１の画像配置領域４４１Ａには１回目の撮影によって得られたアップ画像が表示され、画像配置領域４４１Ｂには２回目の撮影によって得られたアップ画像が表示され、画像配置領域４４１Ｃには３回目の撮影によって得られたアップ画像が表示される。
【０２６１】
図３０Ａの状態で画像配置領域４４１Ａを押下する操作が行われた場合、矢印＃７１の先に示すように、画像配置領域４４１Ａの表示は、４回目の撮影によって得られたアップ画像に変更される（図３０Ｂ）。
【０２６２】
この例においては、押下された画像配置領域の表示は、表示されている撮影画像以外の撮影画像であって、表示されている撮影画像より後に撮影された撮影画像が撮影順に表示されるように変更される。
【０２６３】
図３０Ｂの状態で画像配置領域４４１Ａを押下する操作が行われた場合、矢印＃７２の先に示すように、画像配置領域４４１Ａの表示は、５回目の撮影によって得られたアップ画像に変更される（図３０Ｃ）。
【０２６４】
図３０Ｃの状態で画像配置領域４４１Ａを押下する操作が行われた場合、矢印＃７３の先に示すように、画像配置領域４４１Ａの表示は、１回目の撮影によって得られたアップ画像に変更される（図３０Ｄ）。
【０２６５】
これ以降、画像配置領域４４１Ａ、画像配置領域４４１Ｂ、または画像配置領域４４１Ｃを押下する操作が行われる毎に、押下された画像配置領域の表示が、表示されているアップ画像以外のアップ画像が撮影順に表示されるように変更される。
【０２６６】
なお、図３０Ｃの状態で画像配置領域４４１Ａを押下する操作が行われた場合、画像配置領域４４１Ａの表示が１回目の撮影によって得られたアップ画像に変更されるのではなく、４回目の撮影によって得られたアップ画像に変更されるようにしてもよい。利用者が、１回目の撮影によって得られたアップ画像を他の撮影画像（４回目の撮影によって得られたアップ画像）に変更した時点で、１回目の撮影によって得られたアップ画像を使いたくないという意思を有しているものと考えられるためである。
【０２６７】
この場合、画像配置領域４４１Ａの表示が４回目の撮影によって得られたアップ画像に変更された後に、再度、画像配置領域４４１Ａを押下する操作が行われたときには、画像配置領域４４１Ａの表示は５回目の撮影によって得られたアップ画像に変更されることになる。
【０２６８】
なお、１回目の撮影によって得られたアップ画像、２回目の撮影によって得られたアップ画像、３回目の撮影によって得られたアップ画像、４回目の撮影によって得られたアップ画像、５回目の撮影によって得られたアップ画像といったように、押下された画像配置領域の表示が撮影順に変更されるようにしてもよい。
【０２６９】
さらに、画像選択画面の表示開始時の状態として、確認用画像４４１の画像配置領域４４１Ａに１回目の撮影によって得られたアップ画像が表示され、画像配置領域４４１Ｂに４回目の撮影によって得られたアップ画像が表示され、画像配置領域４４１Ｃに５回目の撮影によって得られたアップ画像が表示されるといったように、表示開始時の撮影画像の組み合わせは任意である。
【０２７０】
・画像配置領域が４箇所形成されているデザインの場合
図３１は、撮影画像の表示順の例を示す図である。
【０２７１】
図３１の確認用画像４５１は、デザイン選択画面においてサンプル画像４１１−４を押下し、画像配置領域が４箇所形成されているデザインを選択した場合に画像選択画面に表示される画像である。確認用画像４５１には、左から順に、画像配置領域４５１Ａ、画像配置領域４５１Ｂ、画像配置領域４５１Ｃ、および画像配置領域４５１Ｄが形成される。
利用者は、画像配置領域４５１Ａ、画像配置領域４５１Ｂ、画像配置領域４５１Ｃ、または画像配置領域４５１Ｄを押下することにより、押下した画像配置領域に表示させる撮影画像を変更することができる。
【０２７２】
図３１を参照して、「アップ＋全身」コースで撮影が行われ、３枚のアップ画像と２枚の全身画像が得られている場合の表示順について説明する。
【０２７３】
画像選択画面の表示開始時、図３１Ａに示すように、確認用画像４５１の画像配置領域４５１Ａには１回目の撮影によって得られたアップ画像が表示され、画像配置領域４５１Ｂには２回目の撮影によって得られたアップ画像が表示され、画像配置領域４５１Ｃには３回目の撮影によって得られたアップ画像が表示される。画像配置領域４５１Ｄには、画像配置領域４５１Ａに表示されているものと同じ、１回目の撮影によって得られたアップ画像が表示される。
【０２７４】
確認用画像４５１上に４つの画像配置領域が形成されているのに対してアップ画像の数が３枚であるために、同じアップ画像が複数の画像配置領域に重複して表示される点で、図２８等を参照して説明した、３つの画像配置領域が形成されている場合と異なる。
【０２７５】
図３１Ａの状態で画像配置領域４５１Ａを押下する操作が行われた場合、矢印＃８１の先に示すように、画像配置領域４５１Ａの表示は、２回目の撮影によって得られたアップ画像に変更される（図３１Ｂ）。
【０２７６】
この例においては、押下された画像配置領域の表示は、その画像配置領域に表示されている撮影画像より後に撮影された撮影画像が撮影順に表示されるように変更される。画像配置領域４５１Ａの表示は、画像配置領域４５１Ｂに表示されている撮影画像と同じ２回目の撮影によって得られたアップ画像に変更される。
【０２７７】
図３１Ｂの状態で画像配置領域４５１Ａを押下する操作が行われた場合、矢印＃８２の先に示すように、画像配置領域４５１Ａの表示は、３回目の撮影によって得られたアップ画像に変更される（図３１Ｃ）。
【０２７８】
図３１Ｃの状態で画像配置領域４５１Ａを押下する操作が行われた場合、矢印＃８３の先に示すように、画像配置領域４５１Ａの表示は、１回目の撮影によって得られたアップ画像に変更される（図３１Ｄ）。
【０２７９】
これ以降、画像配置領域４５１Ａ、画像配置領域４５１Ｂ、画像配置領域４５１Ｃ、または画像配置領域４５１Ｄを押下する操作が行われる毎に、押下された画像配置領域に表示されているアップ画像が、表示されているアップ画像より撮影順で次のアップ画像に変更される。
【０２８０】
画像配置領域に表示される撮影画像が以上のようにして変更されることにより、利用者は、３枚のアップ画像を１枚ずつ順次表示させてそれぞれの写りの詳細を確認し、好みの１枚が重複して配置された携帯送信用画像を作成することができる。
【０２８１】
アップ画像だけではなく、２枚の全身画像が表示されるようにしてもよい。
【０２８２】
図３２を参照して、「アップ＋全身」コースで撮影が行われ、３枚のアップ画像と２枚の全身画像が得られている場合の他の表示順について説明する。
【０２８３】
図３２の例においては、画像配置領域４５１Ａ乃至４５１Ｃにそれぞれ１回目の撮影によって得られたアップ画像、２回目の撮影によって得られたアップ画像、および３回目の撮影によって得られたアップ画像が表示されている。また、画像配置領域４５１Ｄには、４回目の撮影によって得られた全身画像が表示されている。
【０２８４】
全身画像は、その横幅がアップ画像の横幅と同じ横幅になるように表示される。アップ画像と全身画像を並べた場合、図３２Ａに示すように、全身画像の縦の長さはアップ画像の縦の長さより長くなる。
【０２８５】
図３２Ａの状態で画像配置領域４５１Ａを押下する操作が行われた場合、矢印＃９１の先に示すように、画像配置領域４５１Ａの表示は、２回目の撮影によって得られたアップ画像に変更される（図３２Ｂ）。
【０２８６】
図３２Ｂの状態で画像配置領域４５１Ａを押下する操作が行われた場合、矢印＃９２の先に示すように、画像配置領域４５１Ａの表示は、３回目の撮影によって得られたアップ画像に変更される（図３２Ｃ）。
【０２８７】
図３２Ｃの状態で画像配置領域４５１Ａを押下する操作が行われた場合、矢印＃９３の先に示すように、画像配置領域４５１Ａの表示は、４回目の撮影によって得られた全身画像に変更される（図３２Ｄ）。このとき、画像配置領域４５１Ａの形状が、全身画像の形状に合わせて変形する。
【０２８８】
図３２Ｄの状態で画像配置領域４５１Ａを押下する操作が行われた場合、画像配置領域４５１Ａの表示は、５回目の撮影によって得られた全身画像に変更される（図示せず）。
【０２８９】
これ以降、画像配置領域４５１Ａ、画像配置領域４５１Ｂ、画像配置領域４５１Ｃ、または画像配置領域４５１Ｄを押下する操作が行われる毎に、押下された画像配置領域に表示されている撮影画像が、表示されている撮影画像より撮影順で次の撮影画像に、全身画像も含めて変更される。
【０２９０】
これにより、利用者は、全身画像が配置された携帯送信用画像を作成することができる。
【０２９１】
図３３を参照して、「アップのみ」コースで撮影が行われ、５枚のアップ画像が得られている場合の表示順について説明する。
【０２９２】
この場合、５枚のアップ画像が得られているため、画像選択画面の表示開始時に同じアップ画像が重複して表示されないようにすることができる。
【０２９３】
画像選択画面の表示開始時、図３３Ａに示すように、確認用画像４５１の画像配置領域４５１Ａには１回目の撮影によって得られたアップ画像が表示され、画像配置領域４５１Ｂには２回目の撮影によって得られたアップ画像が表示される。また、画像配置領域４５１Ｃには３回目の撮影によって得られたアップ画像が表示され、画像配置領域４５１Ｄには、４回目の撮影によって得られたアップ画像が表示される。
【０２９４】
図３３Ａの状態で画像配置領域４５１Ａを押下する操作が行われた場合、矢印＃１０１の先に示すように、画像配置領域４５１Ａの表示は、２回目の撮影によって得られたアップ画像に変更される（図３３Ｂ）。
【０２９５】
この例においては、押下された画像配置領域の表示は、表示されている撮影画像以外の撮影画像が撮影順に表示されるように変更される。
【０２９６】
図３３Ｂの状態で画像配置領域４５１Ａを押下する操作が行われた場合、矢印＃１０２の先に示すように、画像配置領域４５１Ａの表示は、３回目の撮影によって得られたアップ画像に変更される（図３３Ｃ）。
【０２９７】
図３３Ｃの状態で画像配置領域４５１Ａを押下する操作が行われた場合、矢印＃１０３の先に示すように、画像配置領域４５１Ａの表示は、４回目の撮影によって得られたアップ画像に変更される（図３３Ｄ）。
【０２９８】
図３３Ｄの状態で画像配置領域４５１Ａを押下する操作が行われた場合、矢印＃１０４の先に示すように、画像配置領域４５１Ａの表示は、５回目の撮影によって得られたアップ画像に変更される（図３３Ｅ）。
【０２９９】
これ以降、画像配置領域４５１Ａ、画像配置領域４５１Ｂ、画像配置領域４５１Ｃ、または画像配置領域４５１Ｄを押下する操作が行われる毎に、押下された画像配置領域に表示されているアップ画像が、表示されている撮影画像以外の撮影画像であって、撮影順がより先の撮影画像に変更される。
【０３００】
以上のように、画像選択画面においては、画像配置領域の表示が、確認用画像上に形成された画像配置領域の数、撮影コースなどに応じて、異なる順番で変更される。利用者は、変えたいと思う撮影画像にタッチする（押下する）といった直感的な操作で、携帯送信用画像に配置する撮影画像を他の撮影画像に変更することができる。
【０３０１】
なお、サンプル画像４１１−５が選択され、画像配置領域が５箇所形成された確認用画像においても、画像配置領域の表示は同様にして変更される。
【０３０２】
＜変形例＞
上述した各種の表示順や、利用者の操作に応じた各種の表示の変更は、適宜組み合わせて用いることが可能である。
【０３０３】
例えば、図２６、図２７を参照して説明した確認用画像４２１において、適宜、同じ撮影画像が並べて表示されるように各画像配置領域の表示が変更されるようにしてもよいし、全身画像が表示されるように各画像配置領域の表示が変更されるようにしてもよい。
【０３０４】
また、図３１、図３２を参照して説明した確認用画像４５１において、ある画像配置領域の表示が変更されることに伴って、他の画像配置領域の表示が変更されるようにしてもよい。
【０３０５】
画像配置領域が３箇所形成されているデザインの場合、画像配置領域が４箇所形成されているデザインの場合の場合においても、上述した特定の操作が行われることに応じて、ある画像配置領域の表示と他の画像配置領域の表示とを入れ替えるようにすることが可能である。
【０３０６】
さらに、ある規則性に従って表示が変更されるのではなく、画像配置領域の表示がランダムに変更されるようにしてもよい。画像選択画面の表示開始時、ランダムに選択された撮影画像が各画像配置領域に配置されるようにしてもよい。
【０３０７】
１つの携帯送信用画像に配置される画像配置領域の数が１乃至５であるものとしたが、その数も任意である。画像配置領域の形状の矩形に限らず、円形、三角形などの他の形状であってもよい。
【０３０８】
上述したように、領域４１０Ｌに表示された画像選択画面と領域４１０Ｒに表示された画像選択画面においては、同じデザインが選択された場合には、同じ表示順で撮影画像が表示される。
【０３０９】
図３４は、画像選択画面の表示例を示す図である。
【０３１０】
図３４の例においては、領域４１０Ｌと領域４１０Ｒに画像選択画面が表示されている。領域４１０Ｌの表示は、図２２を参照して説明した、画像配置領域４２１Ａの表示が３回目の撮影によって得られたアップ画像に変更された後の表示と同じ表示である。領域４１０Ｒには、領域４１０Ｌにおいて選択されたデザインと同じ携帯送信用画像のデザインが選択され、２つの画像配置領域が形成された確認用画像４６１が表示されている。
【０３１１】
確認用画像４６１の画像配置領域４６１Ａと画像配置領域４６１Ｂには、図２０を参照して説明した確認用画像４２１の状態と同じように、それぞれ、１回目の撮影によって得られたアップ画像と２回目の撮影によって得られたアップ画像が表示されている。
【０３１２】
図３４の状態で、確認用画像４６１の画像配置領域４６１Ａを押下する操作が行われた場合、図３５に示すように、画像配置領域４６１Ａの表示は、３回目の撮影によって得られたアップ画像に変更される。この表示順は、領域４１０Ｒにおける撮影画像の表示順と同じ順番である。
【０３１３】
なお、図３５の例においては、領域４１０Ｌにおいて画像配置領域４２１Ｂが押下され、画像配置領域４２１Ｂの表示が、２回目の撮影によって得られたアップ画像から１回目の撮影によって得られたアップ画像に変更されている。
【０３１４】
＜＜２．実施例２＞＞
利用者の操作に応じた以上のような表示の変更は、他の項目の選択時にも適用することが可能である。
【０３１５】
＜２−１．加工内容の選択＞
撮影画像または編集画像に施す加工の内容の選択時に、利用者の押下操作に応じた表示の変更を行うようにすることが可能である。
【０３１６】
加工は、フィルタ処理などを施すことによって、素材となる画像の画素値を変え、色味の異なる画像を生成する画像処理である。色の変更だけでなく、サイズの調整、角度の調整、トリミング、他の画像の合成などの画像処理が加工に含まれることもある。
【０３１７】
図３６は、加工選択画面の例を示す図である。
【０３１８】
加工選択画面は、例えば編集画面４０１において所定の操作が行われたときにタブレット内蔵モニタ１３１に表示される。図３６の例においては、領域４１０Ｌの略中央に確認用画像５０１が表示されている。確認用画像５０１は、素材となる撮影画像に対して、「モノクロ」の名前が設定された種類の加工を施すことによって生成されたモノトーンの画像である。
【０３１９】
確認用画像５０１の上には、確認用画像５０１を押下することによって、異なる加工が施された見本画像を表示させることができることを表すメッセージが表示されている。
【０３２０】
画像処理部３３３は、「モノクロ」の他に、「セピア」、「ぼかし」などの名前が設定された複数種類の加工を施すためのパラメータを有している。図３６の確認用画像５０１は、「モノクロ」の加工の内容を利用者が確認するのに用いられる画像となる。
【０３２１】
確認用画像５０１を押下する操作が行われた場合、図３６の確認用画像５０１に代えて、他の種類の加工を施すことによって生成された画像が表示される。例えば、「モノクロ」の確認用画像に代えて「セピア」の確認用画像が表示される。また、その「セピア」の確認用画像を押下する操作が行われた場合、「セピア」の確認用画像に代えて「ぼかし」の確認用画像が表示される。
【０３２２】
例えば、加工の種類として「モノクロ」、「セピア」、「ぼかし」の３種類が用意されている場合、押下操作が行われる毎に、「モノクロ」の確認用画像、「セピア」の確認用画像、「ぼかし」の確認用画像が順に表示されることになる。
【０３２３】
これにより、利用者は、加工が施された画像を直接押下するといった直感的な操作によって他の種類の加工の内容を確認することができる。加工の種類の選択に用いられるボタンを表示させる必要がないため、確認用画像を大きく表示させることが可能になる。
【０３２４】
確認用画像の表示順は任意である。また、それぞれ異なる加工を施すことによって生成された確認用画像を複数並べて表示し、利用者により押下操作が行われた確認用画像を変化させるようにしてもよい。
【０３２５】
＜２−２．分割数の選択＞
分割数の選択時に、利用者の押下操作に応じた表示の変更を行うようにすることが可能である。上述したように、分割数の選択は、編集の終了後に、タブレット内蔵モニタ１３１に表示される選択画面を用いて行われる。
【０３２６】
図３７は、分割数選択画面の例を示す図である。
【０３２７】
分割数選択画面５１１の中央上方には「分割数を選んでね」のメッセージが表示され、その下に、略横長長方形の領域５２１が形成される。領域５２１は、左右に分けて、領域５２１Ｌと領域５２１Ｒの２つの領域から構成される。
【０３２８】
領域５２１の左上にはタブ５２１−１が表示され、その隣に、タブ５２１−２，５２１−３，５２１−４が表示される。領域５２１に表示されるサンプル画像の表示が、タブの選択に応じて切り替えられる。図３７の例においては、「切れてる分割」の名前が設定されたタブ５２１−１が選択されている。各タブは分割数のグループを表す。
【０３２９】
領域５２１Ｌの中央上方には確認用画像５３１Ｌが表示される。確認用画像５３１Ｌの下には横長長方形の領域５３３Ｌが形成され、分割数の見本であるサンプル画像５４１−１乃至５４１−６が２列に並べて表示される。サンプル画像５４１−１乃至５４１−６は、それぞれ、撮影画像を異なるレイアウトで配置したシール紙、または色を変えたシール紙を表す画像である。
【０３３０】
図３７の確認用画像５３１Ｌは、サンプル画像５４１−１を若干大きくした画像であり、サンプル画像５４１−１により表される分割数を利用者が確認するのに用いられる。サンプル画像５４１−１が表す分割数は、１枚のアップ画像を他の画像より若干大きく左端に配置し、その右側に、２枚のアップ画像と２枚の全身画像を配置した分割数である。確認用画像５３１Ｌの左側には分割数を決定するときに操作されるボタン５３２Ｌが表示されている。
【０３３１】
領域５２１Ｒにも同様の画像などが表示される。領域５２１Ｒの表示も、タブレット内蔵モニタ１３１に向かって右側に立つ利用者の操作に応じて、領域５２１Ｌの表示と同様にして切り替えられる。
【０３３２】
確認用画像５３１Ｌ上の位置である例えば位置ｐ１１を押下する操作が行われた場合、図３７の確認用画像５３１Ｌに代えて、他の分割数を表す確認用画像が表示される。例えば、サンプル画像５４１−１が表す１種類目の分割数の確認用画像に代えて、サンプル画像５４１−２が表す２種類目の分割数の確認用画像が表示される。また、２種類目の分割数の確認用画像を押下する操作が行われた場合、２種類目の分割数の確認用画像に代えて、サンプル画像５４１−３が表す３種類目の分割数の確認用画像が表示される。
【０３３３】
これにより、利用者は、確認用画像を直接押下するといった直感的な操作によって他の種類の分割数を表示させ、確認することができる。
【０３３４】
領域５２１Ｌ内の位置であって、いずれの画像も表示されていない余白の位置である例えば位置ｐ１２を押下する操作が行われた場合、領域５３３Ｌのサンプル画像が、他のグループのサンプル画像に変更される。すなわち、余白の位置に対する押下操作は、タブに対する押下操作と同じ操作になる。
【０３３５】
例えば、タブ５２１−１のグループの分割数を表すサンプル画像が表示されている図３７の状態で余白に対する押下操作が行われた場合、タブ５２１−２のグループの分割数を表すサンプル画像が領域５３３Ｌに表示される。また、タブ５２１−２のグループの分割数を表すサンプル画像が表示されている状態で余白に対する押下操作が行われた場合、タブ５２１−３のグループの分割数を表すサンプル画像が領域５３３Ｌに表示される。
【０３３６】
このように、画像上の位置以外の位置に対する利用者の操作に応じて、選択肢となる画像の表示を変更することも可能である。
【０３３７】
＜２−３．大きく配置する画像の選択＞
１枚の画像を他の画像より大きく配置する分割数が分割数選択画面を用いて選択された場合、その大きく配置する画像を利用者が選択することができるようにしてもよい。
【０３３８】
図３８は、分割数選択画面の他の例を示す図である。
【０３３９】
図３７の分割数選択画面５１１を用いて、１枚の画像を他の画像より大きく配置する分割数が選択された場合、分割数選択画面５１１の表示は、図３８の表示に切り替えられる。図３８の分割数選択画面５１１の中央上方には「大きくする画像を選んでね」のメッセージが表示され、その下に、略正方形の領域５５１Ｌと領域５５１Ｒが並べて形成される。
【０３４０】
領域５５１Ｌの略中央には確認用画像５６１Ｌが表示される。確認用画像５６１Ｌは、図３７の確認用画像５３１Ｌと同じ画像であり、そこには５枚の撮影画像である撮影画像５７１-１乃至５７１−５が配置されている。図３８の分割数選択画面５１１は、１枚のアップ画像を他の画像より若干大きく左端に配置した分割数である、図３７のサンプル画像５４１−１により表される１種類目の分割数が選択された場合に表示される画面である。
【０３４１】
確認用画像５６１Ｌの上方には、確認用画像５６１Ｌの左端に配置されている撮影画像５７１-１を押下することによって、異なる画像を表示させることができることを表すメッセージが表示されている。操作の対象となる撮影画像５７１-１だけがカラー表示され、撮影画像５７１-１以外の画像がグレーアウトして表示されるようにしてもよい。
【０３４２】
撮影画像５７１-１上の位置である例えば位置ｐ２１を押下する操作が行われた場合、左端に配置される画像が、他のアップ画像に変更される。例えば、１枚目のアップ画像である撮影画像５７１-１に代えて、２枚目のアップ画像である撮影画像５７１−２が表示される。また、左端に大きく表示されている撮影画像５７１-２を押下する操作がさらに行われた場合、撮影画像５７１−２に代えて、３枚目のアップ画像である撮影画像５７１−３が表示される。左端に大きく表示されている撮影画像５７１-３を押下する操作がさらに行われた場合、撮影画像５７１−３に代えて、１枚目のアップ画像である撮影画像５７１−１が表示される。
【０３４３】
このように、利用者の操作が行われることに応じて、３枚のアップ画像が確認用画像５６１Ｌの左端に順に表示される。２枚の全身画像も含めて５枚の撮影画像が１枚ずつ順に表示されるようにしてもよいし、２枚の全身画像が順に表示されるようにしてもよい。
【０３４４】
確認用画像５６１Ｌの下には、シール紙の余白の色の選択に用いられる選択ボタン５６２Ｌが表示される。選択ボタン５６２Ｌの右側には、大きく配置する画像と余白の色の選択を決定するときに操作されるボタン５６３Ｌが表示される。
【０３４５】
図３８の分割数選択画面５１１においては、大きく配置する画像の選択と余白の色の選択の２種類の選択を行うことができるようになされているが、余白の色の選択については、確認用画像を押下するのではなく、ボタンを用いて行われる。余白の色の選択についても、大きく配置する画像の選択と同様に確認用画像に対する押下操作により行われるとした場合、操作が直感的でなく、利用者が混乱してしまうおそれがあるが、そのようなことを防ぐことが可能になる。
【０３４６】
なお、領域５５１Ｒにおいても、同様にして、大きく配置する画像の選択と余白の色の選択の２種類の選択が行われる。
【０３４７】
＜２−４．背景画像の選択＞
背景画像の選択時に、利用者の押下操作に応じた表示の変更を行うようにすることが可能である。上述したように、背景画像の選択は、編集前に、タブレット内蔵モニタ１３１に表示される選択画面を用いて行われる。
【０３４８】
図３９は、背景選択画面の例を示す図である。
【０３４９】
背景選択画面６０１の中央上方には「背景を選んでね」のメッセージが表示され、その下に、５枚の撮影画像である撮影画像６１１−１乃至６１１−５が並べて表示される。撮影画像６１１−１乃至６１１−５のそれぞれには所定の背景画像が合成されている。
【０３５０】
撮影画像６１１−１乃至６１１−５の下には領域６１２が形成される。領域６１２には、背景画像の複数のサンプル画像が並べて表示される。利用者は、撮影画像を順に選択し、選択した撮影画像に合成する背景画像を、領域６１２にサンプル画像が表示されている背景画像の中から選択することになる。
【０３５１】
領域６１２の左側には画像タブ６１３−１Ｌ乃至６１３−４Ｌが表示され、右側には画像タブ６１３−１Ｒ乃至６１３−４Ｒが表示される。領域６１２に表示されるサンプル画像の表示が、画像タブの選択に応じて切り替えられる。各画像タブは背景画像のグループを表す。
【０３５２】
図３９に示すように、撮影画像６１１-１上の位置である例えば位置ｐ３１を押下する操作が行われた場合、撮影画像６１１-１に合成される背景画像が、他の背景画像に変更される。すなわち、背景画像を変えた撮影画像６１１-１が同じ位置に表示される。
【０３５３】
例えば、選択中の背景画像と色相が類似している他の背景画像、明度が類似している他の背景画像、彩度が類似している他の背景画像、柄が類似している他の背景画像などの同じグループの背景画像が、利用者により押下操作が行われる毎に、撮影画像に合成して順に表示される。
【０３５４】
このように、利用者の操作が行われることに応じて、撮影画像に合成する背景画像を順に変化させるようにすることが可能である。撮影画像に合成する背景画像が変化するのではなく、領域６１２に表示されるサンプル画像が、利用者による押下操作に応じて変化するようにしてもよい。
【０３５５】
領域６１２とその両側の画像タブが表示されないようにしてもよい。これにより、背景画像が合成された撮影画像を大きく表示させることが可能になる。
【０３５６】
＜２−５．撮影ポーズの選択＞
撮影ポーズの選択時に、利用者の押下操作に応じた表示の変更を行うようにすることが可能である。撮影ポーズの選択は、撮影の開始前に、タッチパネルモニタ９２に表示される選択画面を用いて行われる。
【０３５７】
撮影ポーズ選択画面を用いて選択した撮影ポーズが、例えば５回のそれぞれの撮影前にタッチパネルモニタ９２に表示され、利用者に対して提示される。利用者は、タッチパネルモニタ９２の表示に従って同じポーズをとって撮影を行うことになる。
【０３５８】
図４０は、撮影ポーズ選択画面の例を示す図である。
【０３５９】
撮影ポーズ選択画面６３１の中央上方には「撮りたいポーズを選んでね」のメッセージが表示され、その下に、選択済みの５つの撮影ポーズの画像が表示される領域６４１−１乃至６４１−５が並べて形成される。
【０３６０】
領域６４１−１乃至６４１−５の下には領域６４２が形成される。領域６４２には、撮影ポーズを表す複数のサンプル画像が並べて表示される。サンプル画像は、それぞれ異なるポーズをとったモデルの人物が写っている画像である。利用者は、サンプル画像を見て、複数の撮影ポーズの中から各回の撮影ポーズを選択することになる。
【０３６１】
領域６４２の上には複数のタブが表示される。領域６４２に表示されるサンプル画像の表示が、タブの選択に応じて切り替えられる。各タブは撮影ポーズのグループを表す。
【０３６２】
図４０に示すように、領域６４１-１上の位置である例えば位置ｐ４１を押下する操作が行われた場合、所定の撮影ポーズを表すサンプル画像が領域６４１-１に表示され、その後、領域６４１-１に対する押下操作が行われる毎に、領域６４１-１に表示される撮影ポーズが変更される。
【０３６３】
例えば、類似している他の撮影ポーズなどの同じグループの撮影ポーズのサンプル画像が、利用者により押下操作が行われる毎に、押下操作が行われた領域に表示される。利用者は、領域６４１-１乃至６４１−５をそれぞれ押下し、好みの撮影ポーズのサンプル画像を各領域に表示させることによって撮影ポーズを選択する。
【０３６４】
このように、利用者の操作が行われることに応じて、撮影前の選択に関する表示が切り替わるようにすることが可能である。なお、図４０において、領域６４２を表示させないようにしてもよい。
【０３６５】
＜２−６．ライブビュー表示画面の表示の選択＞
上述したように、撮影空間Ａ１における撮影時、タッチパネルモニタ９２にはライブビュー表示画面が表示される。
【０３６６】
図４１は、ライブビュー表示画面の他の例を示す図である。
【０３６７】
図１６のライブビュー表示画面３６０とは異なり、図４１の画像表示領域３６１は縦長楕円形の領域となっている。また、画像表示領域３６１の周りには装飾画像が表示されている。画像表示領域３６１の左右には、撮影済みの撮影画像３６３Ｌ，３６３Ｒが表示されている。
【０３６８】
図４１のライブビュー表示画面３６０は、例えば図１６のライブビュー表示画面３６０が表示されている状態において、画像表示領域３６１に対する押下操作が行われたときに表示される。すなわち、図４１のライブビュー表示画面３６０は、画像表示領域３６１の表示を利用者の操作に応じて変更した場合の例を示している。
【０３６９】
例えば、縦長楕円形で表示されている画像表示領域３６１に対してさらに押下操作が行われた場合、画像表示領域３６１の形状は、ハート形、真円等の他の形状に変化する。利用者は、好みの形状の範囲内に表示される自分の姿を見て撮影を楽しむことができる。
【０３７０】
画像表示領域３６１の形状が、撮影画像や携帯送信用画像などの出力の形状に反映されるようにすることも可能である。この場合、図４１の状態で撮影された撮影画像は、縦長楕円形の画像となり、その形状でシール紙に印刷される。
【０３７１】
このように、利用者による押下操作が行われる毎に表示を切り替える処理は、項目の選択時以外の表示にも適用することが可能である。
【０３７２】
なお、上述した加工の内容の選択が撮影時に行われる場合、撮影画像に施される加工の内容が、画像表示領域３６１に対する押下操作が行われる毎に変化するようにしてもよい。画像表示領域３６１に表示される動画像に対しては、そのときに選択されている種類の加工が施される。利用者は、加工のイメージを確認しながら撮影を行うことが可能になる。
【０３７３】
本技術の実施の形態は、上述した実施の形態に限定されるものではなく、本技術の要旨を逸脱しない範囲において種々の変更が可能である。また、各表示については、適宜組み合わせて適用することもできる。
【符号の説明】
【０３７４】
１  写真シール作成装置、  ３０１  事前選択処理部，  ３０２  撮影処理部，  ３０３  編集処理部、  ３０４  印刷処理部、  ３１１  表示制御部，  ３３５  携帯送信用画像作成部
【図１】
2017142495.tif 000003
【図２】
2017142495.tif 000004
【図３】
2017142495.tif 000005
【図４】
2017142495.tif 000006
【図５】
2017142495.tif 000007
【図６】
2017142495.tif 000008
【図７】
2017142495.tif 000009
【図８】
2017142495.tif 000010
【図９】
2017142495.tif 000011
【図１０】
2017142495.tif 000012
【図１１】
2017142495.tif 000013
【図１２】
2017142495.tif 000014
【図１３】
2017142495.tif 000015
【図１４】
2017142495.tif 000016
【図１５】
2017142495.tif 000017
【図１６】
2017142495.tif 000018
【図１７】
2017142495.tif 000019
【図１８】
2017142495.tif 000020
【図１９】
2017142495.tif 000021
【図２０】
2017142495.tif 000022
【図２１】
2017142495.tif 000023
【図２２】
2017142495.tif 000024
【図２３】
2017142495.tif 000025
【図２４】
2017142495.tif 000026
【図２５】
2017142495.tif 000027
【図２６】
2017142495.tif 000028
【図２７】
2017142495.tif 000029
【図２８】
2017142495.tif 000030
【図２９】
2017142495.tif 000031
【図３０】
2017142495.tif 000032
【図３１】
2017142495.tif 000033
【図３２】
2017142495.tif 000034
【図３３】
2017142495.tif 000035
【図３４】
2017142495.tif 000036
【図３５】
2017142495.tif 000037
【図３６】
2017142495.tif 000038
【図３７】
2017142495.tif 000039
【図３８】
2017142495.tif 000040
【図３９】
2017142495.tif 000041
【図４０】
2017142495.tif 000042
【図４１】
2017142495.tif 000043